(57)【要約】ロバストなビーム報告を実施するためのシステムおよび方法が、開示される。一実施形態では、第１の通信ノードによって実施される方法は、少なくとも１つの参照信号を受信するステップと、少なくとも１つの参照信号と関連付けられる、少なくとも１つの参照信号受信電力（ＲＳＲＰ）値を決定するステップと、少なくとも１つのＲＳＲＰ値を、各セットが少なくとも１つのＲＳＲＰ値を含有する、ＲＳＲＰ値のＮ個のセットにグループ化し、ＲＳＲＰ値のＮ個のセットのそれぞれをリソースグループのＮ個のセットのうちの個別のものと関連付ける、所定のフォーマットに従って、ＲＳＲＰレポートを生成するステップであって、リソースグループの各セットは、少なくとも１つのリソースグループを含有し、Ｎは、正の整数である、ステップと、ＲＳＲＰレポートを伝送するステップとを含む。
2020523896.tif 000002
【特許請求の範囲】
【請求項１】
第１の通信ノードによって実施される方法であって、
少なくとも１つの参照信号を受信することと、
前記少なくとも１つの参照信号と関連付けられる少なくとも１つの参照信号受信電力（ＲＳＲＰ）値を決定することと、
所定のフォーマットに従って、ＲＳＲＰレポートを生成することであって、前記所定のフォーマットは、前記少なくとも１つのＲＳＲＰ値を、各セットが少なくとも１つのＲＳＲＰ値を含有するＲＳＲＰ値のＮ個のセットにグループ化し、前記ＲＳＲＰ値のＮ個のセットのそれぞれをリソースグループのＮ個のセットのうちの個別のものと関連付け、リソースグループの各セットは、少なくとも１つのリソースグループを含有し、Ｎは、正の整数である、ことと、
前記ＲＳＲＰレポートを伝送することと
を含む、方法。
【請求項２】
前記リソースグループのＮ個のセットのうちの少なくとも１つは、ビームセット、アンテナグループ、ポート、参照信号（ＲＳ）リソース、ＲＳリソースセット、ポートグループ、ダイバーシティ分岐、および受信分岐のうちの少なくとも１つを備える、請求項１に記載の方法。
【請求項３】
前記ポートグループは、明示的信号によって、または前記所定のフォーマットに基づいて暗示的に、第２の通信ノードによって示される前記第２の通信ノードにおけるポートのクラスタである、請求項２に記載の方法。
【請求項４】
前記ポートのクラスタは、
前記ポートのクラスタは、時分割符号分割多重化（ＴＤ−ＣＤＭ）ポートのセットに属す、
前記ポートのクラスタは、周波数分割符号分割多重化（ＦＤ−ＣＤＭ）ポートのセットに属す、
前記ポートのクラスタは、１つのコンポーネントと関連付けられる、
前記ポートのクラスタは全て、１つのＯＦＤＭシンボルまたはサブユニット内にある、
前記ポートのクラスタは、順番に１つのリソースのＫ個のポートを備え、Ｋは、１つの正の整数である、および
前記ポートのクラスタは、１つ以上の同一または類似のチャネル性質を共有する
のうちの少なくとも１つに基づいて、暗示的に示される、請求項３に記載の方法。
【請求項５】
前記ポートグループおよび同一または異なるＲＳリソースからのＲＳポートは、第２の通信ノードの中の１つのポートセットにグループ化される、請求項２に記載の方法。
【請求項６】
前記ポートグループまたは前記ポートのいずれかと準共同設置されるＳ個以下のＲＳアンテナポートが、同時に伝送されることができ、Ｓは、正の整数である、請求項２に記載の方法。
【請求項７】
前記ポートグループまたは前記ポートのいずれかと準共同設置されるダウンリンク変調参照信号（ＤＭＲＳ）を有する層の総数は、Ｓ以下であり、Ｓは、正の整数である、請求項２に記載の方法。
【請求項８】
前記ＲＳＲＰレポートはさらに、前記リソースグループのＮ個のセットのうちの少なくとも１つのリソースグループのためのデータストリーム、ランクインジケータ、または層の最大数を含有する、請求項１に記載の方法。
【請求項９】
前記ＲＳＲＰレポートは、以下の階層関連性、すなわち、
前記少なくとも１つのＲＳＲＰ値は、第２の通信ノードから伝送される各ビームあたり、および前記第１の通信ノードと関連付けられるアンテナグループあたりで決定される、
前記少なくとも１つのＲＳＲＰ値は、第２の通信ノードから伝送される各ビームあたり、および前記第１の通信ノードと関連付けられる受信されたビームセットあたりで決定される、
前記少なくとも１つのＲＳＲＰ値は、第２の通信ノードから伝送される全てのビームに関して、および前記第１の通信ノードと関連付けられる受信されたビームセットあたりで決定される、および
前記少なくとも１つのＲＳＲＰ値は、第２の通信ノードから伝送される各ビームあたり、および前記第１の通信ノードと関連付けられるアンテナグループあたり、および前記第１の通信ノードと関連付けられる受信されたビームセットあたりで決定される
のうちの１つに基づく、請求項１に記載の方法。
【請求項１０】
前記少なくとも１つのＲＳＲＰ値は、前記少なくとも１つの参照信号の部分帯域またはサブ帯域に関して決定される、請求項１に記載の方法。
【請求項１１】
リソースグループのＮ個のセットのうちの１つに関して、Ｔが正の整数である、Ｔ個のＲＳＲＰ値からの報告されたＲＳＲＰ値のための導出規則は、
第２の通信ノードによって構成可能である、
前記第１の通信ノードによって第２の通信ノードに示される、および
受信方法に基づいて決定される
のうちの１つである、請求項１に記載の方法。
【請求項１２】
前記導出規則は、以下の規則、すなわち、
前記報告されたＲＳＲＰ値は、前記Ｔ個のＲＳＲＰ値よりも低くない、
前記報告されたＲＳＲＰ値は、Ｅ個のＲＳＲＰ値のうちの最大ＲＳＲＰ値である、
前記報告されたＲＳＲＰ値は、Ｅ個のＲＳＲＰ値のうちの最小ＲＳＲＰ値である、および
前記報告されたＲＳＲＰ値は、Ｅ個のＲＳＲＰ値の平均ＲＳＲＰ値であり、前記Ｅ個のＲＳＲＰ値は、前記Ｔ個のＲＳＲＰ値から選択され、Ｅ＜＝Ｔである
のうちの少なくとも１つを含む、請求項１１に記載の方法。
【請求項１３】
前記受信方法は、以下の受信技法、すなわち、
１つのリソースグループを使用することによる受信、
複数のリソースグループを使用することによる受信、
受信ダイバーシティ、
位相における受信複合、
振幅における受信複合、
受信フィルタリング、および
空間多重化
のうちの少なくとも１つを含む、請求項１１に記載の方法。
【請求項１４】
第１の通信ノードによって実施される方法であって、
少なくとも１つの参照信号を送信することと、
前記少なくとも１つの参照信号と関連付けられる少なくとも１つのＲＳＲＰ値を備える参照信号受信電力（ＲＳＲＰ）レポートを受信することであって、前記ＲＳＲＰレポートは、所定のフォーマットに従って、フォーマットされ、前記所定のフォーマットは、前記少なくとも１つのＲＳＲＰ値を、各セットが少なくとも１つのＲＳＲＰ値を含有する、ＲＳＲＰ値のＮ個のセットにグループ化し、前記ＲＳＲＰ値のＮ個のセットのそれぞれをリソースグループのＮ個のセットのうちの個別のものと関連付け、リソースグループの各セットは、少なくとも１つのリソースグループを含有し、Ｎは、正の整数である、ことと、
前記少なくとも１つのＲＳＲＰ値が所定の基準を満たすかどうかを決定することと、
前記少なくとも１つのＲＳＲＰ値が前記所定の基準を満たすことに応答して、前記少なくとも１つの参照信号を送信するために使用される少なくとも１つのリソース要素を使用して、伝送信号を送信することと
を含む、方法。
【請求項１５】
前記リソースグループのＮ個のセットのうちの少なくとも１つは、ビームセット、アンテナグループ、ポート、参照信号（ＲＳ）リソース、ＲＳリソースセット、ポートグループ、ダイバーシティ分岐、および受信分岐のうちの少なくとも１つを備える、請求項１４に記載の方法。
【請求項１６】
前記ポートグループは、明示的信号によって、または前記所定のフォーマットに基づいて暗示的に、第２の通信ノードに示される前記第１の通信ノードにおけるポートのクラスタである、請求項１５に記載の方法。
【請求項１７】
前記ポートのクラスタは、
前記ポートのクラスタは、時分割符号分割多重化（ＴＤ−ＣＤＭ）ポートのセットに属す、
前記ポートのクラスタは、周波数分割符号分割多重化（ＦＤ−ＣＤＭ）ポートのセットに属す、
前記ポートのクラスタは、１つのコンポーネントと関連付けられる、
前記ポートのクラスタは全て、１つのＯＦＤＭシンボルまたはサブユニット内にある、
前記ポートのクラスタは、順番に１つのリソースのＫ個のポートを備え、Ｋは、１つの正の整数である、および
前記ポートのクラスタは、１つ以上の同一または類似のチャネル性質を共有する
のうちの少なくとも１つに基づいて、暗示的に示される、請求項１６に記載の方法。
【請求項１８】
前記ポートグループおよび同一または異なるＲＳリソースからのＲＳポートは、第１の通信ノードの中の１つのポートセットにグループ化される、請求項１５に記載の方法。
【請求項１９】
前記ポートグループまたは前記ポートのいずれかと準共同設置される（ＱＣＬｅｄ）Ｓ個以下のＲＳアンテナポートが、同時に伝送されることができ、Ｓは、正の整数である、請求項１５に記載の方法。
【請求項２０】
前記ポートグループまたは前記ポートのいずれかと準共同設置されるダウンリンク変調参照信号（ＤＭＲＳ）を有する層の総数は、Ｓ以下であり、Ｓは、正の整数である、請求項１５に記載の方法。
【請求項２１】
前記ＲＳＲＰレポートはさらに、前記リソースグループのＮ個のセットのうちの少なくとも１つのリソースグループのためのデータストリーム、ランクインジケータ、または層の最大数を含有する、請求項１４に記載の方法。
【請求項２２】
前記ＲＳＲＰレポートは、以下の関連性、すなわち、
前記少なくとも１つのＲＳＲＰ値は、前記第１の通信ノードから伝送される各ビームあたり、および第２の通信ノードと関連付けられるアンテナグループあたりで決定される、
前記少なくとも１つのＲＳＲＰ値は、前記第１の通信ノードから伝送される各ビームあたり、および第２の通信ノードと関連付けられる受信されたビームセットあたりで決定される、
前記少なくとも１つのＲＳＲＰ値は、前記第１の通信ノードから伝送される全てのビームに関して、および第２の通信ノードと関連付けられる受信されたビームセットあたりで決定される、および
前記少なくとも１つのＲＳＲＰ値は、前記第１の通信ノードから伝送される各ビームあたり、および第２の通信ノードと関連付けられるアンテナグループあたり、および前記第２の通信ノードと関連付けられる受信されたビームセットあたりで決定される
のうちの１つに基づく、請求項１４に記載の方法。
【請求項２３】
前記少なくとも１つのＲＳＲＰ値は、前記少なくとも１つの参照信号の部分帯域またはサブ帯域に関して決定される、請求項１４に記載の方法。
【請求項２４】
リソースグループのＮ個のセットのうちの１つに関して、Ｔが正の整数である、Ｔ個のＲＳＲＰ値からの報告されたＲＳＲＰ値のための導出規則は、
前記第１の通信ノードによって構成可能である、
第２の通信ノードによって前記第１の通信ノードに示される、
受信方法に基づいて決定される
のうちの１つである、請求項１４に記載の方法。
【請求項２５】
前記導出規則は、以下の規則、すなわち、
前記報告されたＲＳＲＰ値は、前記Ｔ個のＲＳＲＰ値よりも低くない、
前記報告されたＲＳＲＰ値は、Ｅ個のＲＳＲＰ値のうちの最大ＲＳＲＰ値である、
前記報告されたＲＳＲＰ値は、Ｅ個のＲＳＲＰ値のうちの最小ＲＳＲＰ値である、および
前記報告されたＲＳＲＰ値は、Ｅ個のＲＳＲＰ値の平均ＲＳＲＰ値であり、前記Ｅ個のＲＳＲＰ値は、前記Ｔ個のＲＳＲＰ値から選択され、Ｅ＜＝Ｔである
のうちの少なくとも１つを含む、請求項２４に記載の方法。
【請求項２６】
前記受信方法は、以下の受信技法、すなわち、
１つのリソースグループを使用することによる受信、複数のリソースグループを使用することによる受信、受信ダイバーシティ、位相における受信複合、振幅における受信複合、受信フィルタリング、および空間多重化
のうちの少なくとも１つを含む、請求項２４に記載の方法。
【請求項２７】
請求項１−２６のいずれか１項に記載のステップを実施するように構成される、通信ノード。
【請求項２８】
請求項１−２６のいずれか１項に記載の方法を実施するためのコンピュータ実行可能命令をその上に記憶している、非一過性のコンピュータ可読媒体。
【発明の詳細な説明】
【技術分野】
【０００１】
本開示は、概して、無線通信に関し、より具体的には、ビーム報告のためのシステムおよび方法に関する。
【背景技術】
【０００２】
ビーム報告は、ビームをユーザ機器（例えば、携帯電話または他のパーソナルデバイス）に送信する基地局（ＢＳ）が、ビームに関してユーザ機器（ＵＥ）からフィードバックを受信し得る、無線通信におけるプロセスであり得る。本フィードバックは、基地局からユーザ機器（ＵＥ）に送信される将来のビームの較正に利用され得る。これらの将来のビームは、ＵＥによる受信のためにユーザ情報を含むように較正され得る。
【０００３】
次世代ノードＢ（ｇノードＢまたはｇＮＢ）等の種々のＢＳは、多入力多出力（ＭＩＭＯ）アンテナアレイ（例えば、パネルアレイ）を有し得る。ＭＩＭＯアンテナアレイ（例えば、パネルアレイ）は、１，０２４個のアンテナ要素等の多数のアンテナ要素を含み得る。これらのアンテナ要素は、これらのアンテナ要素の２次元アレイであり得る、少なくとも１つのパネルアンテナ上に配列され得る。
【０００４】
上記で議論されるように、ビーム報告は、ＵＥとの通信に利用され得るビームに関して、フィードバックをＢＳに提供し得る。参照信号受信電力（ＲＳＲＰ）についてのレポートは、そのようなフィードバックの実施例である。ＲＳＲＰは、ＵＥによって受信されるようなビームの電力の測定値であり得、（ワット単位等の）値として表され得る。ＢＳは、（例えば、ＲＳＲＰ値を最大限にすることによって）ＲＳＲＰ値に基づいてＵＥとの通信に好適または「最良」であるビームを決定し得る。
【０００５】
ＲＳＲＰは、アンテナポート毎の基準で、ビームの中でエンコードされる参照信号（ＲＳ）から決定され得る。より単純にポートとも称される、アンテナポートは、１つ以上のアンテナによって伝達されるチャネルの最小論理的表現であり得る。換言すると、アンテナポートＩＤは、１つ以上のアンテナ要素に対応し得る、そのアンテナポートによって伝送される信号のＩＤとしての役割を果たすことができる。例えば、ｇＮＢは、１つのアンテナポートのためのチャネル状態情報参照信号（ＣＳＩ−ＲＳ）等のＲＳを伝送し得る。続いて、ＵＥは、本アンテナポートと関連付けられる本ＲＳ（例えば、ＣＳＩ−ＲＳ）を受信し、対応するＲＳＲＰを計算し得る。典型的には、ＲＳＲＰは、ＲＳ（例えば、ＣＳＩ−ＲＳ）がビームの一部として伝送される、リソース要素（ＲＥ）の電力の線形平均として決定される。
【０００６】
しかしながら、無線通信がますます複雑かつ精巧になると、ＲＳＲＰの従来的な決定は、ビーム報告のための有意義な情報を提供するために十分な情報または粒度を提供しない場合がある。例えば、ＢＳの伝送されたビームの間の差異は、ビームが関連付けられるアンテナポートではなく、偏波等の特定のアンテナ配向に基づいて、より正確に表され得る。したがって、ビーム報告の改良された方法の必要性がある。
【発明の概要】
【課題を解決するための手段】
【０００７】
本明細書に開示される例示的実施形態は、従来技術において提起される問題のうちの１つ以上のものに関する問題を解決することと、付随する図面と併せて解釈されるとき、以下の詳細な説明を参照することによって容易に明白になるであろう、付加的特徴を提供することとを対象とする。種々の実施形態によると、例示的システム、方法、デバイス、およびコンピュータプログラム製品が、本明細書に開示される。しかしながら、これらの実施形態は、限定ではなくて一例として提示されることが理解され、本発明の範囲内に留まりながら、開示される実施形態への種々の修正が行われ得ることが、本開示を熟読する当業者に明白であろう。
【０００８】
一実施形態では、第１の通信ノードによって実施される方法は、少なくとも１つの参照信号を受信するステップと、少なくとも１つの参照信号と関連付けられる、少なくとも１つの参照信号受信電力（ＲＳＲＰ）値を決定するステップと、少なくとも１つのＲＳＲＰ値を、各セットが少なくとも１つのＲＳＲＰ値を含有する、ＲＳＲＰ値のＮ個のセットにグループ化し、ＲＳＲＰ値のＮ個のセットのそれぞれをリソースグループのＮ個のセットのうちの個別のものと関連付ける、所定のフォーマットに従って、ＲＳＲＰレポートを生成するステップであって、リソースグループの各セットは、少なくとも１つのリソースグループを含有し、Ｎは、正の整数である、ステップと、ＲＳＲＰレポートを伝送するステップとを含む。
【０００９】
さらなる実施形態では、第１の通信ノードによって実施される方法は、少なくとも１つの参照信号を送信するステップと、少なくとも１つの参照信号と関連付けられる、少なくとも１つのＲＳＲＰ値を備える、参照信号受信電力（ＲＳＲＰ）レポートを受信するステップであって、ＲＳＲＰレポートは、少なくとも１つのＲＳＲＰ値を、各セットが少なくとも１つのＲＳＲＰ値を含有する、ＲＳＲＰ値のＮ個のセットにグループ化し、ＲＳＲＰ値のＮ個のセットのそれぞれをリソースグループのＮ個のセットのうちの個別のものと関連付ける、所定のフォーマットに従って、フォーマットされ、リソースグループの各セットは、少なくとも１つのリソースグループを含有し、Ｎは、正の整数である、ステップと、少なくとも１つのＲＳＲＰ値が所定の基準を満たすかどうかを決定するステップと、少なくとも１つのＲＳＲＰ値が所定の基準を満たすことに応答して、少なくとも１つの参照信号を送信するために使用される、少なくとも１つのリソース要素を使用して、伝送信号を送信するステップとを含む。
【００１０】
別の実施形態では、第１の通信ノードは、第２の通信ノードから少なくとも１つの参照信号を受信するように構成される、受信機と、少なくとも１つの参照信号と関連付けられる、少なくとも１つの参照信号受信電力（ＲＳＲＰ）値を決定し、少なくとも１つのＲＳＲＰ値を、各セットが少なくとも１つのＲＳＲＰ値を含有する、ＲＳＲＰ値のＮ個のセットにグループ化し、ＲＳＲＰ値のＮ個のセットのそれぞれをリソースグループのＮ個のセットのうちの個別のものと関連付ける、所定のフォーマットに従って、ＲＳＲＰレポートを生成するように構成され、リソースグループの各セットは、少なくとも１つのリソースグループを含有し、Ｎは、正の整数である、少なくとも１つのプロセッサと、ＲＳＲＰレポートを第２の通信ノードに伝送するように構成される、伝送機とを含む。
【００１１】
さらに別の実施形態では、第１の通信ノードは、少なくとも１つの参照信号を第２の通信ノードに伝送するように構成される、伝送機と、第２の通信ノードから参照信号受信電力（ＲＳＲＰ）レポートを受信するように構成される、受信機であって、ＲＳＲＰレポートは、少なくとも１つの参照信号と関連付けられる、少なくとも１つのＲＳＲＰ値を含有し、少なくとも１つのＲＳＲＰ値を、各セットが少なくとも１つのＲＳＲＰ値を含有する、ＲＳＲＰ値のＮ個のセットにグループ化し、ＲＳＲＰ値のＮ個のセットのそれぞれをリソースグループのＮ個のセットのうちの個別のものと関連付け、リソースグループの各セットは、少なくとも１つのリソースグループを含有し、Ｎは、正の整数である、受信機と、少なくとも１つのＲＳＲＰ値が所定の基準を満たすかどうかを決定し、少なくとも１つのＲＳＲＰ値が所定の基準を満たすとき、少なくとも１つの参照信号を送信するために使用される、少なくとも１つのリソース要素を使用して、伝送機に伝送信号を第２の通信ノードに送信させるように構成される、少なくとも１つのプロセッサとを含む。
【図面の簡単な説明】
【００１２】
本発明の種々の例示的実施形態は、以下の図を参照して下記で詳細に説明される。図面は、例証の目的のみのために提供され、本発明の読者の理解を促進するように、本発明の例示的実施形態を描写するにすぎない。したがって、図面は、本発明の範疇、範囲、または適用可能性の限定と見なされるべきではない。例証を明確かつ容易にするために、これらの図面は、必ずしも一定の縮尺で描かれるわけではないことに留意されたい。
【００１３】
【図１】図１は、本開示の種々の実施形態による、本明細書に開示される技法が実装され得る、例示的セルラー通信ネットワークを図示する。
【００１４】
【図２】図２は、本開示のいくつかの実施形態による、例示的基地局およびユーザ機器デバイスのブロック図を図示する。
【００１５】
【図３】図３は、いくつかの実施形態による、ユーザ機器パネルアンテナに伝送する基地局パネルアンテナのネットワーク図を図示する。
【００１６】
【図４】図４は、いくつかの実施形態による、図３の基地局パネルアンテナに配列され得る、アンテナ要素のブロック図を図示する。
【００１７】
【図５Ａ】図５Ａ、５Ｂ、５Ｃ、５Ｄは、いくつかの実施形態による、異なる偏波を伴って異なるビームを横断する電力変動を図示する、シミュレーション結果である。
【図５Ｂ】図５Ａ、５Ｂ、５Ｃ、５Ｄは、いくつかの実施形態による、異なる偏波を伴って異なるビームを横断する電力変動を図示する、シミュレーション結果である。
【図５Ｃ】図５Ａ、５Ｂ、５Ｃ、５Ｄは、いくつかの実施形態による、異なる偏波を伴って異なるビームを横断する電力変動を図示する、シミュレーション結果である。
【図５Ｄ】図５Ａ、５Ｂ、５Ｃ、５Ｄは、いくつかの実施形態による、異なる偏波を伴って異なるビームを横断する電力変動を図示する、シミュレーション結果である。
【００１８】
【図６】図６は、いくつかの実施形態による、２つのリソースグリッド内の異なるリソース要素の間の相関を伴って２つのリソースグリッドを図示する。
【発明を実施するための形態】
【００１９】
本発明の種々の例示的実施形態は、当業者が本発明を作製および使用することを可能にするように、付随する図を参照して下記に説明される。本開示を熟読後に当業者に明白であろうように、本明細書に説明される実施例への種々の変更または修正が、本発明の範囲から逸脱することなく行われることができる。したがって、本発明は、本明細書に説明および図示される例示的実施形態および用途に限定されない。加えて、本明細書に開示される方法におけるステップの具体的順序または階層は、例示的アプローチにすぎない。設計選好に基づいて、開示される方法またはプロセスのステップの具体的順序または階層は、本発明の範囲内に留まりながら、再配列されることができる。したがって、当業者は、本明細書に開示される方法および技法が、サンプル順序で種々のステップまたは行為を提示し、本発明が、別様に明示的に記述されない限り、提示される具体的順序または階層に限定されないことを理解するであろう。
【００２０】
図１は、本開示の実施形態による、本明細書に開示される技法が実装され得る、例示的無線通信ネットワーク１００を図示する。例示的通信ネットワーク１００は、通信リンク１１０（例えば、無線通信チャネル）を介して相互と通信し得る、基地局（ＢＳ）１０２およびユーザ機器（ＵＥ）デバイス１０４と、地理的地域１０１に重なる概念的セル１２６、１３０、１３２、１３４、１３６、１３８、および１４０のクラスタとを含む。図１では、ＢＳ１０２およびＵＥ１０４は、セル１２６の地理的境界内に含有される。他のセル１３０、１３２、１３４、１３６、１３８、および１４０はそれぞれ、十分な無線カバレッジをその意図されたユーザに提供するように、その配分された帯域幅において動作する、少なくとも１つの基地局（ＢＳ）を含んでもよい。例えば、ＢＳ１０２は、配分されたチャネル伝送帯域幅において動作し、十分なカバレッジをＵＥ１０４に提供してもよい。ＢＳ１０２およびＵＥ１０４は、それぞれ、ダウンリンク無線フレーム１１８およびアップリンク無線フレーム１２４を介して、通信してもよい。各無線フレーム１１８／１２４はさらに、データシンボル１２２／１２８を含み得る、サブフレーム１２０／１２７に分割されてもよい。本開示では、基地局（ＢＳ）１０２およびユーザ機器（ＵＥ）１０４は、概して、本明細書に開示される方法を実践し得る、「通信ノード」の非限定的実施例として本明細書に説明される。そのような通信ノードは、本発明の種々の実施形態によると、無線および／または有線通信が可能であり得る。
【００２１】
ネットワーク１００では、ＢＳ１０２から伝送される信号は、上記で記述される、ドップラ拡散、ドップラ偏移、遅延拡散、マルチパス干渉等の望ましくないチャネル特性を引き起こす、環境および／または動作条件に悩まされ得る。例えば、マルチパス信号成分が、天然および／または人工物体による伝送された信号の反射、散乱、および回折の結果として、生じ得る。受信機アンテナ１１４において、多数の信号が、異なる遅延、減衰、および位相を伴って多くの異なる方向から着信し得る。概して、第１の受信されたマルチパス成分（典型的には、見通し線（ＬＯＳ）成分）の到着瞬間と最後の受信されたマルチパス成分（典型的には、非見通し線（ＮＬＯＳ）成分）との間の時間差は、遅延拡散と呼ばれる。種々の遅延、減衰、および位相との信号の組み合わせは、受信された信号においてシンボル間干渉（ＩＳＩ）およびチャネル間干渉（ＩＣＩ）等の歪曲を生成し得る。歪曲は、受信および受信された信号の有用な情報への変換を複雑にし得る。例えば、遅延拡散は、無線フレーム１２４の中に含有される有用な情報（データシンボル）にＩＳＩを引き起こし得る。
【００２２】
図２は、相互の間で無線通信信号、例えば、ＯＦＤＭ／ＯＦＤＭＡ信号を伝送および受信するための基地局（ＢＳ）２０２およびユーザ機器（ＵＥ）２０４を含む、例示的システム２００のブロック図を図示する。システム２００は、本明細書で詳細に説明される必要がない、公知または従来の動作特徴をサポートするように構成される、コンポーネントおよび要素を含んでもよい。一例示的実施形態では、システム２００は、上記で説明されるように、図１の無線通信環境１００等の無線通信環境内でデータシンボルを伝送および受信するために使用されることができる。
【００２３】
ＢＳ２０２は、ＢＳ送受信機モジュール２１０と、ＢＳアンテナ２１２と、ＢＳプロセッサモジュール２１４と、ＢＳメモリモジュール２１６と、ネットワーク通信モジュール２１８とを含み、各モジュールは、データ通信バス２２０を介して必要に応じて相互と結合および相互接続される。ＵＥ２０４は、ＵＥ送受信機モジュール２３０と、ＵＥアンテナ２３２と、ＵＥメモリモジュール２３４と、ＵＥプロセッサモジュール２３６とを含み、各モジュールは、データ通信バス２４０を介して必要に応じて相互と結合および相互接続される。ＢＳ２０２は、本明細書に説明されるように、データの伝送のために好適な任意の無線チャネルまたは他の媒体であり得る、通信チャネル（例えば、リンク）２５０を介してＵＥ２０４と通信する。
【００２４】
当業者によって理解されるであろうように、システム２００はさらに、図２に示されるモジュール以外の任意の数のモジュールを含んでもよい。当業者は、本明細書に開示される実施形態に関連して説明される種々の例証的ブロック、モジュール、回路、および処理論理が、ハードウェア、コンピュータ可読ソフトウェア、ファームウェア、またはそれらの任意の実用的な組み合わせで実装され得ることを理解するであろう。ハードウェア、ファームウェア、およびソフトウェアの本可換性および互換性を明確に例証するために、種々の例証的コンポーネント、ブロック、モジュール、回路、およびステップは、概して、それらの機能性の観点から説明される。そのような機能性がハードウェア、ファームウェア、またはソフトウェアとして実装されるかどうかは、全体的なシステムに課される特定の用途および設計制約に依存する。本明細書に説明される概念に精通する者は、特定の用途毎に好適な様式でそのような機能性を実装し得るが、そのような実装決定は、本発明の範囲を限定するものとして解釈されるべきではない。
【００２５】
いくつかの実施形態によると、ＵＥ送受信機２３０は、それぞれアンテナ２３２に結合される、ＲＦ伝送機および受信機回路を含む、「アップリンク」送受信機２３０と本明細書で称され得る。デュプレックススイッチ（図示せず）が、代替として、時間デュプレックス様式でアップリンク伝送機または受信機をアップリンクアンテナに結合してもよい。同様に、いくつかの実施形態によると、ＢＳ送受信機２１０は、それぞれアンテナ２１２に結合される、ＲＦ伝送機および受信機回路を含む、「ダウンリンク」送受信機２１０と本明細書で称され得る。ダウンリンクデュプレックススイッチが、代替として、時間デュプレックス様式でダウンリンク伝送機または受信機をダウンリンクアンテナ２１２に結合してもよい。２つの送受信機２１０および２３０の動作は、ダウンリンク伝送機がダウンリンクアンテナ２１２に結合されることと同時に、アップリンク受信機が無線伝送リンク２５０を経由した伝送の受信のためにアップリンクアンテナ２３２に結合されるように、時間を調整される。好ましくは、デュプレックス方向への変化の合間に最小限のガード時間のみを伴って密接な時間同期化が存在する。
【００２６】
ＵＥ送受信機２３０および基地局送受信機２１０は、無線データ通信リンク２５０を介して通信し、特定の無線通信プロトコルおよび変調方式をサポートし得る、好適に構成されたＲＦアンテナ配列２１２／２３２と協働するように構成される。いくつかの例示的実施形態では、ＵＥ送受信機６０８および基地局送受信機２１０は、ロングタームエボリューション（ＬＴＥ）および新興５Ｇおよび新規無線（ＮＲ）規格、および同等物等の業界規格をサポートするように構成される。しかしながら、本発明は、必ずしも特定の規格および関連付けられるプロトコルに用途が限定されないことを理解されたい。むしろ、ＵＥ送受信機２３０および基地局送受信機２１０は、将来の規格またはその変形例を含む、代替的または付加的無線データ通信プロトコルをサポートするように構成されてもよい。
【００２７】
種々の実施形態によると、ＢＳ２０２は、例えば、次世代ノードＢ（ｇノードＢまたはｇＮＢ）、サービングｇＮＢ、標的ｇＮＢ、伝送受信点（ＴＲＰ）、進化型ノードＢ（ｅＮＢ）、サービングｅＮＢ、標的ｅＮＢ、フェムトステーション、またはピコステーションであってもよい。いくつかの実施形態では、ＵＥ２０４は、携帯電話、スマートフォン、携帯情報端末（ＰＤＡ）、タブレット、ラップトップコンピュータ、ウェアラブルコンピューティングデバイス等の種々のタイプのユーザデバイスで具現化されてもよい。プロセッサモジュール２１４および２３６は、本明細書に説明される機能を果たすように設計される、汎用プロセッサ、コンテンツアドレス指定可能メモリ、デジタル信号プロセッサ、特定用途向け集積回路、フィールドプログラマブルゲートアレイ、任意の好適なプログラマブル論理デバイス、離散ゲートまたはトランジスタ論理、離散ハードウェアコンポーネント、またはそれらの任意の組み合わせを伴って実装または実現されてもよい。このようにして、プロセッサは、マイクロプロセッサ、コントローラ、マイクロコントローラ、状態機械、または同等物として実現されてもよい。プロセッサはまた、コンピューティングデバイスの組み合わせ、例えば、デジタル信号プロセッサおよびマイクロプロセッサの組み合わせ、複数のマイクロプロセッサ、デジタル信号プロセッサコアと併せた１つ以上のマイクロプロセッサ、または任意の他のそのような構成として、実装されてもよい。
【００２８】
さらに、本明細書に開示される実施形態に関連して説明される方法またはアルゴリズムのステップは、ハードウェアで、ファームウェアで、それぞれ、プロセッサモジュール２１４および２３６によって実行されるソフトウェアモジュールで、またはそれらの任意の実用的な組み合わせで、直接具現化されてもよい。メモリモジュール２１６および２３４は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で公知である任意の他の形態の記憶媒体として実現されてもよい。この点に関して、メモリモジュール２１６および２３４は、プロセッサモジュール２１４および２３６が、それぞれ、メモリモジュール２１６および２３４から情報を読み取り、それに情報を書き込み得るように、それぞれ、プロセッサモジュール２１４および２３６に結合されてもよい。メモリモジュール２１６および２３４はまた、それらの個別のプロセッサモジュール２１４および２３６に統合されてもよい。いくつかの実施形態では、メモリモジュール２１６および２３４はそれぞれ、それぞれがプロセッサモジュール２１４および２３６によって実行される命令の実行中に一時変数または他の中間情報を記憶するためのキャッシュメモリを含んでもよい。メモリモジュール２１６および２３４はそれぞれ、また、それぞれ、プロセッサモジュール２１４および２３６によって実行される命令を記憶するための不揮発性メモリを含んでもよい。
【００２９】
ネットワーク通信モジュール２１８は、概して、基地局送受信機２１０と、基地局２０２と通信するように構成される他のネットワークコンポーネントおよび通信ノードとの間の双方向通信を可能にする、基地局２０２のハードウェア、ソフトウェア、ファームウェア、処理論理、および／または他のコンポーネントを表す。例えば、ネットワーク通信モジュール２１８は、インターネットまたはＷｉＭＡＸトラフィックをサポートするように構成されてもよい。典型的展開では、限定ではないが、ネットワーク通信モジュール２１８は、基地局送受信機２１０が従来のイーサネット（登録商標）ベースのコンピュータネットワークと通信し得るように、８０２．３イーサネット（登録商標）インターフェースを提供する。このようにして、ネットワーク通信モジュール２１８は、コンピュータネットワークに接続するための物理的インターフェース（例えば、モバイル交換センター（ＭＳＣ））を含んでもよい。
【００３０】
国際モバイルテレコミュニケーションズ（ＩＭＴ）−アドバンストシステムの性能要件を満たすために、ＬＴＥ／ＬＴＥ−アドバンスト規格は、周波数、時間、および／または空間ドメイン内で無線ネットワークを最適化するためのいくつかの特徴を提供している。無線技術の継続的進化により、将来の無線アクセスネットワークは、無線トラフィックの爆発的増大をサポートすることができるであろうことが期待される。これらの特徴のうち、システム帯域幅を広げることは、ＬＴＥ−アドバンストシステムにおけるキャリア集約の展開によってすでに試験および確認されている、リンクおよびシステム容量を改良するための１つの簡単な方法である。
【００３１】
容量の需要が増加するにつれて、モバイル業界および学界は、１００ＭＨｚを上回るまでシステム帯域幅を増加させることにより関心を持ちつつある。加えて、６ＧＨｚの周波数を下回って動作するスペクトルリソースが、より混雑するようになっているため、６ＧＨｚを上回る高周波数通信が、１００ＭＨｚを上回る、または最大１ＧＨｚものシステム帯域幅をサポートするために非常に適している。
【００３２】
いくつかの実施形態では、基地局とＵＥとの間の通信は、「ミリメートル波通信」とも呼ばれる、６ＧＨｚを上回る信号周波数を伴って実装される。しかしながら、広または超広スペクトルリソースを使用するとき、大幅な伝搬損失が、高い動作周波数（すなわち、６ＧＨｚを上回る）によって誘発され得る。これを解決するために、マッシブＭＩＭＯを使用するアンテナアレイ（例えば、パネルアレイ）およびビーム形成（ＢＦ）訓練技術、例えば、１つのノードのための１，０２４個のアンテナ要素が、ビーム整合を達成し、十分に高いアンテナ利得を取得するために採用されている。アンテナアレイ技術から利益を得ながら、実装費用を低く抑えるために、アナログ移相器が、ｍｍ波ビーム形成（ＢＦ）を実装するために魅力的となっており、これは、位相の数が有限であり、他の制約（例えば、振幅制約）が、可変移相ベースのＢＦを提供するようにアンテナ要素に課され得ることを意味する。そのような事前規定されたビームパターン、例えば、アンテナ重量ベクトル（ＡＷＶ）コードブックを考慮すると、後続のデータ伝送のための最良Ｎ個のビームを識別するための可変移相ベースのＢＦ訓練標的が、決定されることができる。
【００３３】
上記で導入されるように、ビーム報告は、ＢＳが、ビームをＵＥに送信し、ビームに関してＵＥからフィードバックを受信し得る、無線通信におけるプロセスであり得る。本フィードバックは、ＢＳからＵＥに送信される将来のビームの較正に利用され得る。これらの将来のビームは、ＵＥによる受信のためにユーザ情報を含むように較正され得る。
【００３４】
種々の実施形態による、システムおよび方法は、ロバストなビーム報告を実装してもよい。ロバストなビーム報告は、ＢＳに関して十分な通信詳細をＵＥに提供する、または逆も同様にＵＥに関してＢＳに提供する、ＢＳとＵＥとの間のフィードバックループを含んでもよい。これらの通信詳細は、（ロバストなビーム報告を実装しないシステムと比較すると）ＢＳまたはＵＥの全ての関連通信詳細を考慮する、極めて効率的な較正された通信を実施するように、ＢＳまたはＵＥに知らせる、または命令してもよい。通信詳細は、第２の通信ノード（例えば、同等のＵＥまたはＢＳ）を較正し、２つの通信ノードの間の通信を改良するために利用され得る、第１の通信ノード（例えば、ＢＳまたはＵＥ）の通信の任意の側面であってもよい。通信詳細の実施例は、ＵＥまたはＢＳのいずれかにおけるポートの数および／またはレイアウト、ＵＥまたはＢＳのいずれかにおけるポートＩＤ（例えば、ポートの識別）、ＵＥによるチャネル推定のためのチャネル推定プロトコル（例えば、ＲＳＲＰ決定）、チャネル推定レポートのためのフォーマット（例えば、ＲＳＲＰレポートまたはＲＳＲＰ値のレポート）、伝送機ビーム（Ｔｘビーム）セット（例えば、ＢＳからＵＥに伝送されるビームのセット）、受信ビーム（Ｒｘビーム）セット（例えば、ＵＥからＢＳに伝送されるビームのセット）、アンテナグループ、アンテナ配向（例えば、偏波および／またはアンテナが指し示している方向）、チャネル推定に使用され得るＲＳ、チャネル推定に使用され得る異なるＲＳの重量（例えば、優先順位）、ＲＳ伝送性質、ポートグループ、アンテナグループ、ビームセット等によってサポートされる独立データストリーム（例えば、ランクまたは層）の数、カスタマイズされたＲＳＲＰ定義、ＲＳＲＰの決定のための部分帯域幅、および同等物を含んでもよい。これらおよび他の通信詳細のそれぞれのさらなる議論が、下記でさらに議論されるであろう。
【００３５】
ロバストなビーム報告の実施例として、種々の実施形態によると、ＢＳは、ＢＳのセルラーカバレッジエリア内の受信のための複数のビームを伝送してもよい。複数のビームのうちの少なくとも１つは、ＵＥによって受信されてもよい。受信されたビームは、チャネル推定プロトコルおよび／またはチャネル推定がＵＥにおいて実施され得る参照信号に関する命令を含んでもよい。随意に、ある実施形態では、ＵＥは、外部命令を必要としない場合があるが、選択基準に応答して（例えば、特定のチャネル推定プロトコルを実施するように事前プログラムされることによって、または利用可能な処理リソースに基づいて）実施し得る、チャネル推定プロトコルを独立して選択してもよい。チャネル推定プロトコルは、チャネル推定を実施し、ＢＳにフィードバック（例えば、送信）され得る通信詳細を生成して、ＢＳとＵＥとの間の通信を改良する方法を、ＵＥに命令してもよい。チャネル推定は、チャネル推定レポートの中に含まれ得る結果（例えば、パラメータ値）を生成する、任意のタイプの測定、較正、決定、または他のプロセスであってもよい。別の言い方をすれば、チャネル推定は、パラメータの値が決定されるプロセス（例えば、複合ＲＳＲＰ値の中に含まれるべきであるＲＳＲＰ値、特定のＵＥポートグループによってサポートされる独立したデータストリームの数、カスタマイズされたＲＳＲＰ定義、および同等物）であってもよい。チャネル推定プロトコルはまた、ＢＳに送信（例えば、フィードバック）され得る、チャネル推定レポートのためのデータ構造またはフォーマットに関して、ＵＥに命令してもよい。チャネル推定レポートは、命令されたチャネル推定中に決定される（パラメータ値としての）パラメータのうちの少なくとも１つのインジケーションであってもよい。例えば、チャネル推定プロトコルは、下記でさらに議論されるタイプＢ２実施形態において参照されるであろうように、あるポートグループ、特に、ＲｘビームセットのＲＳＲＰ値を含む、チャネル推定レポートをＢＳに送信するように、ＵＥに命令してもよい。ＢＳは、受信されたレポートに基づいて、ＵＥのためのユーザデータを伝送してもよい。例えば、ＢＳは、レポートのＲＳＲＰが、特定のビームの電力値が所定の基準を満たすことを示す場合に、特定のビームについてのＵＥのためのユーザデータを伝送してもよい。
【００３６】
下記でさらに議論されるであろうように、参照信号受信電力（ＲＳＲＰ）は、受信された信号に基づく、ワット単位の電力レベルの測定値であってもよい。ＲＳＲＰは、ＵＥにおいて決定され、ＢＳからの受信された参照信号（ＲＳ）に基づいてもよい。また、下記でさらに議論されるであろうように、ＲＳは、ＲＳＲＰ、チャネル状態情報（ＣＳＩ）、または任意の他のチャネル推定の決定のための参照として使用され得る、任意のタイプの信号であってもよい。ＲＳの実施例は、ダウンリンク（ＤＬ）復調参照信号（ＤＭＲＳ）、アップリンク（ＵＬ）ＤＭＲＳ、物理ブロードキャストチャネル（ＰＢＣＨ）のＤＭＲＳ、位相追跡参照信号（ＰＴ−ＲＳ）、追跡参照信号（ＴＲＳ）、質測定用参照信号、二次同期化信号（ＳＳＳ）、一次同期化信号（ＰＳＳ）、ＳＳブロック（例えば、同一の伝送（Ｔｘ）ビームを共有し得る、ＰＢＣＨのＰＳＳ、ＳＳＳ、またはＤＭＲＳのうちの１つ以上のもの）、ＣＳＩ−ＲＳ、および同等物を含んでもよい。
【００３７】
故に、通信詳細をＲＳＲＰに関連付けるための議論を明確にするために、ＲＳＲＰ決定は、ＲＳに基づくチャネル推定のタイプであってもよい。ＲＳＲＰは、パラメータのタイプであってもよく、ＲＳＲＰ値は、パラメータ値のタイプであってもよい。また、ＲＳＲＰレポート（ＲＳＲＰ値を含み得る）は、チャネル推定レポートのタイプであってもよい。
【００３８】
ある実施形態では、ＲＳＲＰは、考慮される測定周波数帯域幅内でセル特有の参照信号（ＲＳ）を搬送する、リソース要素の（ワット単位の）電力寄与にわたる線形平均であってもよい。ＲＳＲＰ決定に関して、（ＲＳを伝送するＢＳの第１のポートに対応する）セル特有のＲＳ  Ｒ０が、使用されてもよい。しかしながら、ＵＥが、（例えば、ＲＳを伝送するＢＳの第２のポートに対応する）Ｒ１が利用可能であることを確実に検出することができる場合には、ＵＥは、（ＲＳを伝送するＢＳの第１のポートに対応する）Ｒ０に加えて、Ｒ１を使用し、ＲＳＲＰを決定してもよい。さらに、上位層（例えば、開放システム相互接続（ＯＳＩ）モデル内の層）が、発見信号に基づいて測定を示す場合、ＵＥは、発見信号を伝送するために使用されるサブフレームのＲＳＲＰを測定してもよい。しかしながら、ＵＥが、セル特有のＲＳが他のサブフレーム内に存在することを確実に検出することができる場合、ＵＥは、発見信号を伝送するために使用されるサブフレームのためのＲＳＲＰを測定することに加えて、これらの他のサブフレームのためのＲＳＲＰを測定してもよい。ＲＳＲＰの物理的測定の観点から、ＲＳＲＰのための参照点は、ＲＳＲＰ決定を実施するＵＥの物理的アンテナコネクタにあってもよい。特定の実施形態では、受信機ダイバーシティがＵＥによって使用中である場合、ＲＳＲＰの報告された値は、個々のダイバーシティ分岐のうちのいずれか（例えば、ＭＩＭＯダイバーシティのための１つ以上の独立受信機ベースバンド処理ユニット等の受信機（Ｒｘ）チェーンのうちのいずれか）の対応するＲＳＲＰよりも低くないように設定されてもよい。
【００３９】
５Ｇ新規無線（ＮＲ）等のあるタイプの無線通信規格では、本明細書では「ｇＮＢ」とも称される基地局（ＢＳ）は、複数のパネルアンテナを含む、アンテナレイアウトを含んでもよい。また、ＵＥもまた、複数のパネルアンテナを含む、アンテナレイアウトを含んでもよい。概して、ＢＳまたはＵＥのいずれかの上のパネルは、異なる偏波と関連付けられ得る、少なくとも２つの送受信機ユニット（ＴＸＲＵ）を有してもよい。種々の実施形態では、高ランク伝送（例えば、多数の独立層またはデータストリームの数を伴う伝送）を達成するために、ＢＳおよびＵＥは、異なるパネルから生成される異なるビームを使用してもよい。利用されるビームは、各パネルの通信能力の全範囲、および関連付けられるＴＸＲＵを網羅してもよい。別の言い方をすれば、ＢＳおよびＵＥは、ＢＳおよびＵＥのパネルアンテナの全てを使用すること等によって、それらの通信能力の全てが使用されるときに、完全に利用されてもよい。例えば、４つのパネルを伴うＵＥは、ＢＳから信号を受信するためにそのパネルの全て未満を使用する、および／またはそのパネルの全て未満の上で受信される信号上のチャネル推定に基づいてレポートを生成する場合に、十分に活用されないであろう。同様に、ＵＥが、ＢＳの複数のパネルの全てとは対照的に、１つだけのＢＳパネルと関連付けられるＢＳからの伝送（Ｔｘ）ビームのみについて報告する場合に、不十分な活用が存在するであろう。
【００４０】
図３は、いくつかの実施形態による、ユーザ機器パネルアンテナ３０４に伝送する基地局パネルアンテナ３０２のネットワーク図３００を図示する。基地局（ＢＳ）パネルアンテナ３０２は、基地局３０８の一部である長方形パネルアレイ３０６の一部であってもよい。故に、パネルアレイ３０６は、複数のＢＳパネルアンテナ３０２を含んでもよい。９つだけのＢＳパネルアンテナ３０２がパネルアレイ３０６毎に図示されているが、ＢＳパネルアレイ３０６は、任意の数の１つ以上のＢＳパネルアンテナを含んでもよい。
【００４１】
ＢＳパネルアンテナ３０２はそれぞれ、図４に関連して下記で図示および議論されるであろうように、１つ以上のアンテナ要素を含んでもよい。ＢＳにおけるアンテナ要素は、１つ以上の伝送機ビーム３１０（Ｔｘビームとも称される）を生成してもよい。Ｔｘビーム３１０は、物理的クラスタ（例えば、建物、物体、壁等の伝送ビーム３１０が通過する、または跳ね返り得る、物理的環境）を通過し、ＵＥパネルアンテナ３０４に到達してもよい。別の言い方をすれば、アンテナ要素は、ＵＥパネルアンテナ３０４における指向性ビーム（例えば、Ｔｘビーム）の受信のためにＵＥパネルアンテナ３０４の場所に向かって指向される、指向性ビーム３１０（例えば、Ｔｘビーム）を形成してもよい。また、下記でさらに議論されるように、ＵＥパネルアンテナ３０４はそれぞれ、ＢＳパネルアンテナ３０２のアンテナ要素におけるＢＳ３０８による受信のために受信ビーム（Ｒｘビームとも称される）を生成し得る、アンテナ要素を含んでもよい。
【００４２】
図４は、いくつかの実施形態による、図３の基地局パネルアンテナ３０２に配列され得る、アンテナ要素４０２のブロック図４００を図示する。基地局パネルアンテナ３０２の集合は、図３に関連して上記で議論されるように、基地局パネルアレイ３０６の一部であってもよい。
【００４３】
図４に戻ると、基地局パネルアレイ３０６は、Ｍｇが列内の基地局パネルアンテナ３０２の数であり、Ｎｇが行内の基地局パネルアンテナ３０２の数である、ＭｇＮｇ個の基地局パネルアンテナ３０２を備える、長方形パネルアレイであってもよい。さらに、基地局パネルアンテナ３０２は、ｄｇ，Ｈの間隔を伴って水平方向に、かつｄｇ，Ｖの間隔を伴って垂直方向に一様に離間されてもよい。各パネルアンテナ上で、アンテナ要素４０２は、垂直方向および水平方向に設置されてもよく、Ｎは、列の数であり、Ｍは、各列内の同一の偏波を伴うアンテナ要素の数である。また、パネル上の番号付与は、正面からのアンテナアレイの観察に基づく（ｘ軸が広い側面に向かって指し示し、増加する列番号に関してｙ座標を増加させる）。基地局パネルアンテナ３０２は、単一偏波（Ｐ＝１）または二重偏波（Ｐ＝２）のいずれかを行われてもよい。
【００４４】
上記で議論されるように、ＲＳＲＰの典型的な決定は、ビーム報告のための有意義な情報を提供するために十分な粒度を提供しない場合がある。例えば、ＲＳＲＰは、ＢＳからの受信された信号に基づいて、ＵＥにおいて決定されてもよい。しかしながら、ＢＳからＵＥへのビームの変調、伝送、伝搬、受信、および復調は、多くの移動部分を伴って複雑であり得る。故に、これらの複雑な移動部分のそれぞれを考慮する通信詳細を伴うロバストなビーム報告は、ビーム報告がこれらの複雑な移動部分を考慮しないという、より有意義な情報を提供してもよい。
【００４５】
例えば、ＵＥは、ＢＳからのビームの受信のための複数のパネルアンテナを含んでもよい。しかしながら、ＢＳから伝送される同一のビームは、ＵＥの受信パネルアンテナの配向（例えば、偏波および／またはアンテナが向いている方向）に応じて、ＵＥによって異なるように受信されてもよい。故に、ＵＥパネルアンテナの配向を考慮しないビーム報告は、ビームおよびＵＥパネルアンテナの配向を考慮するロバストなビーム報告を特性評価しない場合がある。
【００４６】
さらなる実施例として、二重偏波の場合、異なる偏波であるが、ＢＳからの同一のプリコーディングと関連付けられる２つのビームは、ビーム報告の目的のために異なるビームとして特徴付けられてもよい。別の言い方をすれば、ビーム報告のためにこれらのビームを別個として扱うことは、これらのビームを同一に扱うよりも優れた、または正確なチャネル推定またはＲＳＲＰ決定を生成し得る。
【００４７】
しかしながら、ある実施形態では、正確なビーム報告は、実用的考慮事項と平衡を保たれ得る。例えば、二重偏波ビームを別個として扱うことによる性能獲得は、二重偏波ビームを同一に扱うことによる処理リソースの節約を上回らない場合がある。これは、例えば、ビームが非常に類似する性質を有するときの別個の取扱に起因する、ごくわずかな正確度の獲得に起因し得る。したがって、ある実施形態では、正確なビーム報告の考慮事項は、下記でさらに議論されるであろうように（例えば、複合ＲＳＲＰ値を決定するときに）、あるタイプのビーム報告を実装するためのリソース費用と対比した性能獲得等の実用的考慮事項と平衡を保たれ得る。
【００４８】
図５Ａ、５Ｂ、５Ｃ、５Ｄは、いくつかの実施形態による、異なる偏波を伴って異なるビームを横断する電力変動を図示する、シミュレーション結果である。これらの図は、Ｔｘビームの偏波等の種々のビーム報告パラメータが、異なるＢＳおよびＵＥ構成にわたるＲＳＲＰおよび／またはチャネル利得等のチャネル推定結果の対応する変化をどのように生じさせ得るかを図示する。
【００４９】
例えば、図５Ａは、二重偏波Ｔｘビームが単一偏波Ｔｘビームとしてビーム報告において評価されるときに、４ｄＢのＲＳＲＰ測定誤差がどのように存在し得るか図示する。図５Ａは、ｘ軸に沿ったｄＢ単位の単一および二重偏波の測定に関するＲＳＲＰ差およびｙ軸に沿った（０．１ｄＢのビン段階を伴う）ビンの中の捕捉された実現の数をプロットする。プロット内のデータは、ＢＳが二重偏波を伴う８×４アンテナ要素の１つのパネルによって表され、ＵＥが二重偏波を伴う４×２アンテナ要素のパネルアンテナによって表される、３０ＧＨｚリンクレベルシミュレーション（ＬＬＳ）における３，０７２の実現事例に基づいた。
【００５０】
図５Ｂ、５Ｃ、および５Ｄは、異なるタイプのＢＳ偏波が異なるシミュレーション結果をどのように生じさせ得るかを示す、さらなるシミュレーション結果を図示する。具体的には、図５Ｂは、＋４５度ＢＳ偏波における単一のアンテナポートに関するＲＳＲＰ測定結果を図示する。図５Ｃは、−４５度ＢＳ偏波における単一のアンテナポートに関するＲＳＲＰ測定結果を図示する。図５Ｄは、それぞれ、＋／−４５度ＢＳ偏波における２つのアンテナポートに関するＲＳＲＰ測定結果を図示する。図５Ｂ、５Ｃ、および５Ｄはそれぞれ、１ｍＷの受信機雑音電力を伴って０ｄＢにあると仮定されるＳＮＲを用いてシミュレートされた。マーキング「第１」、「第２」、および「第３」は、それぞれ、第１の最高、第２の最高、および第３の最高ピークを定める。図５Ｂ、５Ｃ、および５Ｄはそれぞれ、異なることが留意され得る。したがって、図５Ｂ、５Ｃ、および５Ｄは、基地局において伝送されるビームの偏波の変化がＵＥにおけるＲＳＲＰの決定（および後続のビーム報告および／または決定）をどのように変化させるかを示す。
【００５１】
上記の実施形態に加えて、適用可能な多重化またはダイバーシティ伝送方式等の種々の通信側面を考慮し、これらの種々の通信側面を考慮しないビーム報告に対してビームをより正確に特性評価する、ロバストなビーム報告の非限定的実施例を提供する、種々の例示的実施形態が、下記で議論されるであろう。６つの例示的実施形態が下記に説明されるが、さらなる例示的実施形態が、本明細書に説明される実施形態に従って考慮され得る。さらに、例示的実施形態はそれぞれ、チャネル推定レポートが異なる例示的実施形態において議論される異なるパラメータ値を含み得る場合等の他の例示的実施形態の特徴を含んでもよい。
【００５２】
種々の実施形態によると、ロバストなビーム報告は、ＵＥの仕様に基づくチャネル推定およびチャネル推定報告を含んでもよい。例えば、ＲＳＲＰ決定は、ＵＥアンテナグループあたり、および／またはＲｘビームセット毎の基準で行われてもよい。上記で議論されるように、ＵＥは、異なる受信機パネルアンテナ配向、アンテナの数、復調方式、チャネル推定レポート伝送方式（例えば、ＵＥからＢＳに送信されるチャネル推定レポートの時間および／またはフォーマット）、および同等物を有すること等によって、ＢＳおよび他のＵＥと異なるように構成されてもよい。故に、ロバストなビーム報告に関して、ＵＥの実用的または関連ニュアンスが、チャネル推定を実施するときに考慮されてもよい。種々の例示的実施形態によると、ロバストなビーム報告のための方法およびシステムは、タイプＡ、タイプＢ１、タイプＢ２、およびタイプＣフォーマットとして下記に説明される、複数のビーム報告フォーマットを含んでもよい。種々の実施形態によると、ロバストなビーム報告プロトコルは、規定基準に基づく選択可能なフォーマットとして、これらのビーム報告フォーマットのうちの１つ以上のもの、または全てを含んでもよい。
【００５３】
上記で議論されるように、ＲＳＲＰ決定は、ＲＳに基づくチャネル推定のタイプであってもよい。また、ＲＳＲＰは、パラメータのタイプであってもよく、ＲＳＲＰ値は、パラメータ値のタイプであってもよい。さらに、ＲＳＲＰレポート（ＲＳＲＰ値を含み得る）は、チャネル推定レポートのタイプであってもよい。
【００５４】
いくつかの実施形態によると、下記の表１は、ＲＳＲＰタイプＡ値が、ＢＳからＵＥに伝送されるＴｘビーム毎に決定され、ＵＥアンテナグループ毎の基準でＵＥによって評価され得る、第１のビーム報告フォーマットを示す。別の言い方をすれば、ＲＳＲＰ値が、対応するＵＥアンテナグループによって受信されるＴｘビーム（論理ビームインデックスをそれぞれ有する）毎に決定される。いくつかの実施形態では、アンテナグループは、アンテナグループの各構成アンテナの間の類似特性（例えば、伝送および／または受信性質等）によって決定付けられるようなアンテナ（例えば、準共同設置アンテナ）のグループであってもよい。準共同設置が、下記でさらに議論されるであろう。
【表１−１】
2020523896.tif 000003
【表１−２】
2020523896.tif 000004
【００５５】
上記の表１では、ＵＥアンテナグループＩＤは、相互と関連付けられる（例えば、下記でさらに詳細に議論されるように、準共同設置される）ＵＥアンテナのグループを識別し、論理ビームインデックスは、ＢＳからＵＥによって受信される個々のＴｘビームの識別子であり（ポートインデックス、ポートグループインデックス、ＣＳＩ−ＲＳリソースインジケータ、上記の組み合わせ（例えば、ポートインデックス、ポートグループインデックス、ＣＳＩ−ＲＳリソースインジケータ）、および同等物によって表され得る）、ＲＳＲＰタイプＡパラメータは、ＵＥによって受信され、対応するＵＥアンテナグループとグループ化される、Ｔｘビーム毎の測定されたＲＳＲＰ値を表す。表１に示されるように、ＲＳＲＰタイプＡパラメータに加えて、ＣＳＩについての他のパラメータ等の他の情報が、ビーム報告フォーマットの中に含まれてもよい。表１にさらに示されるように、各ＵＥアンテナグループは、複数のＴｘビームを受信してもよく、ビーム報告フォーマットは、複数のＵＥアンテナグループについての情報を含んでもよい。種々の実施形態によると、ビームレポートは、全てのＵＥアンテナグループに関する全てのＴｘビームの測定されたＲＳＲＰタイプＡ値のうちのいくつかまたは全て、または所望の基準または用途に基づく本情報の任意のサブセットを含んでもよい。ＵＥアンテナグループＩＤおよび論理ビームインデックスの隣の下付き文字は、恣意的であり、本発明の種々の実施形態によると、ビームレポートの中に複数のＵＥアンテナグループＩＤおよび複数の論理ビームインデックスが存在し得ることを表すにすぎない。
【００５６】
いくつかの実施形態によると、下記の表２は、タイプＢ１  ＲＳＲＰパラメータが、「Ｒｘビームセット」毎の基準でＵＥにおいて評価されるようなＴｘビーム毎の基準で決定され得る、第２のビーム報告フォーマットを示す。別の言い方をすれば、ＲＳＲＰパラメータは、ＵＥによって受信され、ＵＥの対応する「Ｒｘビームセット」の中でグループ化される、Ｔｘビーム毎に決定されてもよい。例えば、ＵＥに伝送される複数のＴｘビームに関するＲＳＲＰ値が、決定され、その後、ＵＥの単一のＲｘビームセットに対応するものとしてグループ化されてもよい。種々の実施形態によると、ビームセットは、１つ以上の共通特徴または特性を共有する複数のビーム（例えば、下記でさらに議論されるような準共同設置ビーム）を含んでもよい。
【表２】
2020523896.tif 000005
【００５７】
上記の表２では、ＲｘビームセットＩＤは、相互と関連付けられるＲｘビームのグループを識別し、論理ビームインデックスは、ＢＳからＵＥによって受信される個々のＴｘビームの識別子であり（ポートインデックス、ポートグループインデックス、ＣＳＩ−ＲＳリソースインジケータ、ポートインデックス、ポートグループインデックス、およびＣＳＩ−ＲＳリソースインジケータの組み合わせ、および同等物によって表され得る）、タイプＢ１  ＲＳＲＰパラメータは、ＵＥによって受信され、対応するＲｘビームセットとグループ化される、対応するＴｘビームに関する測定されたＲＳＲＰ値を表す。表２に示されるように、ＲＳＲＰタイプＢ１パラメータに加えて、ＣＳＩについての他のパラメータ等の他の情報が、ビーム報告フォーマットの中に含まれてもよい。表２にさらに示されるように、各Ｒｘビームセットは、複数のＴｘビームに対応してもよく、ビーム報告フォーマットは、複数のＲｘビームセットについての情報を含んでもよい。種々の実施形態によると、ビームレポートは、全てのＲｘビームセットに関する全てのＴｘビームセットの測定されたＲＳＲＰタイプＢ２値のうちのいくつかまたは全て、または所望の基準または用途に基づく本情報の任意のサブセットを含んでもよい。ＲｘビームセットＩＤおよび論理ビームインデックスの隣の下付き文字は、恣意的であり、ＲＳＲＰレポートの中に複数のＲｘビームセットＩＤおよび複数の論理ビームインデックスが存在し得ることを表す。
【００５８】
いくつかの実施形態によると、タイプＢ２  ＲＳＲＰがＲｘビームセットに対応する全てのＴｘビームに関して決定され得る、第３のビーム報告フォーマットが、下記の表３に示される。別の言い方をすれば、単一のＲＳＲＰ値が、所定のＲｘビームグループに属する複数のＴｘビームに関して決定されてもよい。例えば、ＵＥに伝送され、単一のＲｘビームセットに属する、全てのＴｘビームに関するＲＳＲＰが、決定され、その後、総ＲＳＲＰタイプＢ２値を計算するために使用されてもよい。故に、各Ｒｘビームセット（複数のＴｘビームについての情報を含み得る）は、上記で議論されるように、Ｒｘビームセットあたり複数のＲＳＲＰパラメータ値を有し得るタイプＢ１実施形態と対照的に、単一のＲＳＲＰタイプＢ２パラメータ値を有するであろう。
【表３】
2020523896.tif 000006
【００５９】
上記の表３では、Ｒｘビームセットは、Ｒｘビームのグループを識別し、論理ビームインデックスは、ＢＳからＵＥによって受信される個々のビームの識別子であり（ポートインデックス、ポートグループインデックス、ＣＳＩ−ＲＳリソースインジケータ、ポートインデックス、ポートグループインデックス、およびＣＳＩ−ＲＳリソースインジケータの組み合わせ、および同等物によって表され得る）、ＲＳＲＰタイプＢ２パラメータは、単一のＲｘビームセットに属する複数のＴｘビームに関して測定される、総ＲＳＲＰ値の値を表す。いくつかの実施形態では、ＲＳＲＰタイプＢ２値は、例えば、複数の測定されたＲＳＲＰ値の平均として、または複数の測定されたＲＳＲＰ値の合計として、または複数の測定されたＲＳＲＰ値の所定の加重関数として、計算されてもよい。表３に示されるように、ＲＳＲＰタイプＢ２パラメータに加えて、例えば、ＣＳＩについての他のパラメータ等の他の情報が、ビーム報告フォーマットの中に含まれてもよい。表３にさらに示されるように、各Ｒｘビームセットは、複数のＴｘビームであるが１つだけのＲＳＲＰタイプ−Ｂ２値に対応してもよく、ビーム報告フォーマットは、複数のＲｘビームセットについての情報を含んでもよい。種々の実施形態によると、ビームレポートは、全てのＲｘビームセットに関する測定されたＲＳＲＰタイプＢ２値のうちのいくつかまたは全て、または所望の基準または用途に基づく本情報の任意のサブセットを含んでもよい。ＲｘビームセットＩＤおよび論理ビームインデックスの隣の下付き文字は、恣意的であり、ＲＳＲＰレポートの中に複数のＲｘビームセットＩＤおよび複数の論理ビームインデックスが存在し得ることを表す。
【００６０】
さらなる実施形態によると、表４は、タイプＣ  ＲＳＲＰパラメータが、対応するＵＥアンテナグループにグループ化される複数のＴｘビーム毎に決定される、別のビーム報告フォーマットを図示する。複数のＵＥアンテナグループはさらに、対応するＲｘビームセットグループにグループ化されてもよい。別の言い方をすれば、ＲＳＲＰは、全てのＴｘビームに関して決定され、ＵＥアンテナグループあたりおよびＲｘビームセットあたりで編成されてもよく、Ｒｘビームセットは、複数のＵＥアンテナグループを含んでもよく、ＵＥアンテナグループは、複数のＴｘビームを含んでもよい。代替として、いくつかの実施形態では、ＲＳＲＰは、全てのＴｘビームに関して決定され、ＲｘビームセットあたりおよびＵＥアンテナグループあたりで編成されてもよく、ＵＥアンテナグループは、複数のＲｘビームセットを含んでもよく、Ｒｘビームセットは、複数のＴｘビームを含んでもよい。換言すると、ＵＥアンテナグループおよびＲｘビームセットの階層は、ＲＳＲＰパラメータの新しいクラス（例えば、ＲＳＲＰタイプＤ）を提供するように、表４の中で切り替えられてもよい。
【表４−１】
2020523896.tif 000007
【表４−２】
2020523896.tif 000008
【００６１】
Ｒｘビームセットグループ、ＵＥアンテナグループ、各Ｔｘビームを表す論理ビームインデックスは、上記で議論される同様に名前を付けられたグループに類似する。しかしながら、表４に示されるように、ビーム報告フォーマットは、新しい階層でこれらのグループを編成し、本階層に従ってＲＳＲＰタイプＣパラメータ値を生成する。表３に示されるように、ＲＳＲＰタイプＢ２パラメータに加えて、例えば、ＣＳＩについての他のパラメータ等の他の情報が、ビーム報告フォーマットの中に含まれてもよい。表４にさらに示されるように、各Ｒｘビームセットは、複数のＵＥアンテナグループに対応してもよく、各ＵＥアンテナグループは、複数のＴｘビームおよび対応する数のＲＳＲＰタイプＣパラメータ値に対応することができ、ビーム報告フォーマットは、複数のＲｘビームセットグループについての情報を含んでもよい。種々の実施形態によると、ビームレポートは、全てのＲｘビームセットに関する測定されたＲＳＲＰタイプＣ値のうちのいくつかまたは全て、または所望の基準または用途に基づく本情報の任意のサブセットを含んでもよい。
【００６２】
ある実施形態では、上記で導入されるように、各個々のレポート（例えば、チャネル推定レポートまたはＲＳＲＰレポート）の中のパラメータは、複数のＲＳからの（複数のビームからの）複数の個々のパラメータ値（例えば、個々のＲＳＲＰ）を組み合わせ、複数のＲＳのそれぞれ（および／または複数のビームのそれぞれ）を表すために使用される複合パラメータ値を形成してもよい。複合ＲＳＲＰ値は、複合パラメータ値のタイプであってもよい。別の言い方をすれば、ＲＳＲＰ値は、個々の組み合わせ分岐の全てのＲＳＲＰの総和に等しくあり得る。上記で議論されるタイプＢ２実施形態は、複合パラメータ値の実施例を提供し、各Ｒｘビームセット（複数のＴｘビームについての情報を含み得る）は、Ｒｘビームセットあたり複数のパラメータを有し得る他の実施形態と対照的に、単一のパラメータ（例えば、単一の複合パラメータ値）を有してもよい。特定の実施形態では、これらの複合パラメータ値は、ＲＳＲＰ値の合計、ＲＳＲＰ値の線形平均、または個々の構成ＲＳＲＰ値のうちのいずれかの最大値であってもよい。ＲＳＲＰ値はそれぞれ、ＲＳ（例えば、ＣＳＩ−ＲＳ）がビームの一部として伝送される、リソース要素（ＲＥ）に基づいて決定されてもよい。別の言い方をすれば、ＲＳＲＰ値はそれぞれ、個々のダイバーシティ分岐に従って決定されてもよい。ある実施形態では、複合パラメータ値は、構成ＲＳＲＰ値（例えば、複合パラメータ値が決定されるＲＳＲＰ値）よりも決して低くないように設定されてもよい。
【００６３】
さらに、ロバストなビーム報告の様式は、チャネル推定パラメータ（例えば、ＲＳＲＰ）が決定される方法を決定してもよい。別の言い方をすれば、チャネル推定レポート（例えば、ＲＳＲＰレポート）のフォーマットまたはデータ構造は、チャネル推定が実施される方法を決定付けてもよく、その逆も同様である。これは、少なくとも、ともに伝送される情報のタイプ（例えば、パラメータ）を決定付ける（したがって、実質的にともに、またはともに伝送されることに先立って決定され得る、パラメータを決定付ける）チャネル推定レポートに起因し得る。例えば、上記で議論されるように、タイプＡ実施形態では、ＲＳＲＰ値は、受信時に決定され、ＵＥの受信アンテナに基づいてもよい（例えば、ＵＥアンテナグループにおいて受信される信号に基づいて評価される）。また、タイプＢ１実施形態では、（ＲｘビームまたはＲｘビームセットの中で）ともに伝送されるものである、ＲＳＲＰ値は、ともに、および／または実質的に同時に決定されてもよい。また、タイプＢ２実施形態では、（ＲｘビームまたはＲｘビームセットの中で）ともに伝送されるものである、全てのビームに関するＲＳＲＰ値は、ともに、および／または実質的に同時に決定されてもよい。
【００６４】
さらなる例示的実施形態によると、ロバストなビーム報告は、ＢＳポートグループに基づいて、チャネル推定（例えば、ＲＳＲＰ決定）を伴って実施されてもよい。これらのＲＳＲＰ決定は、ＢＳによって命令されるように、またはＵＥによって選択されるように、ＵＥにおいて決定されてもよい。ＵＥは、下記でさらに議論されるであろうように、選択基準（例えば、検出されるＲＳまたはＵＥに利用可能なコンピューティングリソースの量等の利用可能なリソース）に基づいてＲＳＲＰを決定し得る方法を選択してもよい。また、ＢＳは、ポートグループ毎の基準（１つのポートグループ内のポートの数がＫであり、Ｋが正の整数である）で、ＲＳＲＰを決定するようにＵＥに命令してもよい。例えば、Ｋ＝１である場合、ＲＳＲＰは、１つのＢＳポートあたりで測定されてもよい。ＢＳがＵＥに提供し得る命令はまた、選択基準（例えば、ＵＥによる受信のためにビームの中に含まれるＲＳまたはＵＥに利用可能なコンピューティングリソースの量等の利用可能なリソース）に基づいてもよい。ＲＳＲＰを上記で議論されるより広い概念に関連付けると、ＢＳがＵＥに提供し得る命令は、チャネル推定プロトコルのタイプを示してもよい。
【００６５】
ある実施形態では、ＵＥは、ＲＳポートグループに基づいて、ＲＳＲＰを決定してもよい。別の言い方をすれば、ＵＥは、ＢＳからＵＥに識別されるＢＳポートグループに基づいて、ＲＳＲＰを決定してもよい。これらのＢＳポートグループはまた、特定のＲＳに対応してもよい。ある実施形態では、単一のポートグループの一部であるポートは、それらのＲＳを同時に伝送してもよい。ＵＥは、上記で議論されるように、選択基準に基づいて、ＢＳによって命令されるように、またはローカルで、本決定を実施してもよい。
【００６６】
ＵＥがＲＳＲＰを決定し得る、ＢＳポートグループのタイプの実施例が、下記に挙げられる。第１の実施例として、ＲＳＲＰは、時分割符号分割多重化（ＴＤ−ＣＤＭ）ポートおよび／または周波数ドメイン符号分割多重化（ＦＤ−ＣＤＭ）ポートのセットあたりで決定されてもよい。これらのタイプのポート（ポートグループの一部であり得る）は、周波数がｙ軸上で表され、ｘ軸上の時間に対してプロットされる、リソースグリッド６０２を図示する、図６に図示される。図７に図示されるように、Ｒ７およびＲ８はそれぞれ、異なる時間間隔（第７の時間間隔および第８の時間間隔として恣意的に選定される）において伝送されるＦＤ−ＣＤＭ性質を共有する、単一のポートグループを表す。また、ポートの番号がポートグループの中で１であるとき、ＲＳＲＰは、１つのポートに基づいてもよい。
【００６７】
第２の実施例として、ＲＳＲＰは、時分割直交カバーコード（ＴＤ−ＯＣＣ）ポートおよび／または周波数分割カバーコード（ＦＤ−ＯＣＣ）ポートのセットあたりで決定されてもよい。第３の実施例として、ＲＳＲＰは、上記で導入されるように、選択基準に基づいて決定され得る、１つのコンポーネント内の全てのポートに関して決定されてもよい。コンポーネントは、時間および周波数ドメインの両方の中で連続的に保たれる時間および周波数リソース（例えば、リソース要素）の１つのセットであってもよい。第４の実施例として、ＲＳＲＰは、１つの直交周波数分割多重化（ＯＦＤＭ）シンボルまたはサブユニット内の全てのポートに関して決定されてもよい。第５の実施例として、ＲＳＲＰは、ＫがＢＳからＵＥに示されるであろう恣意的な数である、順番に１つのＲＳリソース（例えば、ＣＳＩ−ＲＳリソース、アンテナポート、ＲＳパターン、リソース要素と関連付けられる時間および周波数の部分等）のＫ個のポートあたりで決定されてもよい。第６の実施例として、ＲＳＲＰは、ＣＳＩ−ＲＳリソースまたはＣＳＩ−ＲＳリソースのセット等のＲＳリソースまたはＲＳリソースのセット（例えば、リソースグループ）あたりで決定されてもよい。ある実施形態では、各ＲＳポートグループは、ＲＳリソースまたはＲＳリソースのセットに従って識別されてもよい。
【００６８】
第７の実施例として、ＲＳＲＰは、同一または類似のチャネル性質を共有する、ポートのセットあたりで決定されてもよい。別の言い方をすれば、ＲＳＲＰは、準共同設置（ＱＣＬ）されるポートのセットあたりで決定されてもよい。ＱＣＬされることは、これらのポートのセットが同一または類似のチャネル性質を共有し得ることを示す。２つ以上のリソースがＱＣＬされるべきかどうかを決定するためのチャネル性質は、以下の性質のうちの１つ以上のもの、すなわち、（１）ドップラ拡散、（２）ドップラ偏移、（３）遅延拡散、（４）平均遅延、（５）平均利得、および（６）空間パラメータを含むことができる。本明細書で使用されるように、「ドップラ拡散」は、１つの受信されたマルチパス成分に関する周波数ドメイン拡散を指し、「ドップラ偏移」は、搬送波周波数の観点から、受信機によって観察される１つの搬送波成分と伝送機によって伝送されるものとの間の周波数差を指し、「遅延拡散」は、第１の受信されたマルチパス成分（典型的には、見通し線（ＬＯＳ）成分）の到着瞬間と最後の受信されたマルチパス成分（典型的には、非見通し線（ＮＬＯＳ）成分）との間の時間差を指し、「平均遅延」は、成分の電力によって乗算される、全てのマルチパス成分の遅延の加重平均を指し、「平均利得」は、アンテナポートまたはリソース要素あたりの平均伝送電力を指し、「空間パラメータ」は、到来角（ＡｏＡ）、空間相関等の受信機によって観察されるマルチパス成分の空間ドメイン性質を指す。チャネル性質の本情報は、Ｌ−１または上位レベルシグナリングによって、事前定義または構成されることができる。例えば、それらの個別のパラメータ値が相互の５％または１０％以内であるときに、２つのチャネル性質が相互に類似することが、事前定義されることができる。ある実施形態では、ＱＣＬされるポートが、類似チャネル性質を共有してもよい一方で、ポートグループのより広い概念は、類似チャネル性質を共有する場合とそうではない場合がある（かつ恣意的にクラスタ化され得る）任意のポートのクラスタを含んでもよい。
【００６９】
ある実施形態では、１つを上回るタイプのＲＳが、複合ＲＳＲＰ値を生成するためにＲＳＲＰ決定に利用されてもよい。１つを上回るタイプのＲＳがＲＳＲＰ決定に利用されるとき、ＲＳと関連付けられる最終ＲＳＲＰ（例えば、複合ＲＳＲＰ）は、異なるＲＳからの加重ＲＳＲＰ値に基づいてもよい。例えば、異なるＲＳからの個々のＲＳＲＰは、ＢＳから命令されるように異なって加重（例えば、優先）される、事前決定される、または選択基準に基づいてもよい。例えば、物理ブロードキャストチャネル（ＰＢＣＨ）の復調参照信号（ＤＭＲＳ）からのＲＳＲＰは、（ＲＳとしての）チャネル状態情報参照信号（ＣＳＩ−ＲＳ）および／または同期化信号（ＳＳ）からよりも、複合ＲＳＲＰ値（例えば、複合パラメータ値）を決定するときに多くの加重を与えられてもよい。
【００７０】
ある実施形態では、２つのタイプのＲＳは、ある領域（例えば、副搬送波または物理リソースブロック（ＰＲＢ））中で同一の時間／周波数を有するが、他の領域中で差異を有し得る。これらの実施形態では、加重が、（他の領域ではなくて）ある領域に存在する（および／または存在する数量を伴う）パラメータ（例えば、ＲＳＲＰ）に基づき得る、複合パラメータ値決定（例えば、複合ＲＳＲＰ値）のためにＲＳに与えられてもよい。例えば、より低い加重（例えば、５０％）が、２つのタイプのＲＳが同一の時間／周波数を有し得る、領域中で複合パラメータ値決定のために適用されてもよい。しかしながら、より高い加重（または完全加重、例えば、１００％）が、２つのタイプのＲＳが同一の時間／周波数を有していない場合があり、１つだけのＲＳがＲＳＲＰ決定に利用される、他の領域において適用されてもよい。
【００７１】
複数のＲＳが複合パラメータ値決定に使用される、特定の実施形態では、より広い帯域を伴うＲＳに関する加重値は、より狭い帯域を伴うＲＳのものを上回り得る。ＣＳＩ−ＲＳおよびＳＳがＲＳとして使用されるときの実施例として、帯域全体に適用可能であるＣＳＩ−ＲＳが、５０％を上回って加重されてもよい一方で、部分帯域のみに適用可能であるＳＳは、５０％未満で加重されてもよい。
【００７２】
また、複合パラメータ値決定は、複数のＲＳがパラメータ値決定に使用され得る状況で、パラメータ値決定で使用するためのＲＳを区別するための事前定義された規則に従ってもよい。例えば、事前定義された規則は、ＣＳＩ−ＲＳが検出される場合に、無線リソース管理（ＲＲＭ）中にＲＳＲＰを決定するようにＵＥに命令してもよい。しかしながら、ＣＳＩ−ＲＳが検出されない場合、ＳＳブロックは、ＲＳＲＰ決定のためのＲＳとして利用されてもよい。
【００７３】
さらなる例示的実施形態によると、ロバストなビーム報告は、Ｔｘ伝送性質（例えば、仕様情報）をＵＥに提供するステップを含んでもよい。具体的には、ＢＳは、ポートグループインジケータを受信することに応答して、ＢＳが（特定のチャネル推定プロトコルに従って）チャネル推定を実施し、（特定のチャネル推定プロトコルに従って）チャネル推定レポートを返し得る、伝送性質または仕様情報を含む、ポートグループインジケータを送信してもよい。故に、ポートグループインジケータは、特定のチャネル推定プロトコルを実施するための命令のタイプであってもよい。
【００７４】
ポートグループインジケータは、ＲＳＲＰを決定するときにＵＥによって参照され得る、ＢＳポートの所定のグループ（例えば、ＢＳポートグループ）を示してもよい。例えば、ＢＳポートグループが関連付けられ得る参照信号またはビームに関して命令されることに応答して、ＵＥは、ＲＳＲＰ値と識別されたＢＳポートグループとの間の対応を示す様式で構造化されるレポートを生成してもよい。
【００７５】
ある実施形態では、ポートグループインジケータは、ＢＳからＵＥに伝送されるＣＳＩ−ＲＳリソースインジケータであってもよい。これらのＢＳポートグループは、「ｉ」がポートグループ番号またはインデックスを示す、ＳＥＴ−ｉとして表されるインデックスで表されてもよい。特定の実施形態では、各ＢＳポートグループ番号内のＢＳポートは、単一のパネルアンテナに関連してもよい。ＢＳポートグループを識別する、本ＢＳポートグループ番号は、ＲＳＲＰを決定する、またはチャネル推定レポートをフォーマットするときに、ＵＥがＢＳポートグループ番号を参照し得るように、ＵＥに伝送されてもよい。
【００７６】
ある実施形態では、ポートグループインジケータは、任意の特定のＢＳポートグループ内で（例えば、任意の「ＳＥＴ−ｉ」内で）同時に伝送し得る、ＢＳポートの最大数を（例えば、恣意的な数Ｓｉとして）示してもよい。
【００７７】
ある実施形態では、ポートグループインジケータは、ＢＳポートグループ内のＢＳポートの総数を示してもよい。例えば、ポートグループインジケータは、ＢＳポートグループ（例えば、ＳＥＴ−ｉ）を作製するように他のＢＳポートとグループ化される、またはＱＣＬされ得る、ＢＳポートの総数を（例えば、恣意的な定数Ｓｉとして）示してもよい。
【００７８】
ある実施形態では、ポートグループインジケータは、特定のＢＳポートグループと関連付けられ得る、層（例えば、独立データストリーム）の最大数を示してもよい。別の言い方をすれば、ポートグループインジケータは、そのＤＭＲＳが特定のＳＥＴ−ｉ内のＢＳのポート／ポートグループのうちのいずれか１つとＱＣＬされる、層の総数がＳｉ（恣意的な定数値）以下であることを示してもよい。
【００７９】
ある実施形態では、ポートグループインジケータは、任意のＢＳポートグループと関連付けられるデータ／制御チャネルで利用され得る、独立データストリーム（例えば、層またはランク）の最大数を示してもよい。別の言い方をすれば、ポートグループインジケータは、そのＤＭＲＳポートが特定のＳＥＴ−ｉ内の任意のＢＳのポートまたはＢＳポートグループと（空間）ＱＣＬされる、データ／制御チャネルのための独立データストリームの最大数がＳｉ（恣意的な定数値）以下であることを示すことができる。
【００８０】
ＢＳポートまたはＢＳにおけるポートグループに関する情報を提供するポートグループインジケータに加えて、ポートグループインジケータはまた、ＵＥがＢＳに伝送するためのレポートを生成する方法に関する情報を提供してもよい。例えば、ある実施形態では、ポートグループインジケータは、ＲＸビームセットに関して、同一のＲｘビームセット内のＢＳポートグループ（例えば、ＳＥＴ−ｉ）からのＴｘビームの最大数が、ＳｉまたはＳｉ／ａ（ａは、ＢＳのＴＸＲＵの能力に基づくような２等の正の整数である）以下であり得ることを示してもよい。さらなる実施形態では、ポートグループインジケータは、同一のＲｘビームセットであるが異なるＵＥアンテナグループ内のＳＥＴ−ｉからのＴｘビームの最大数がＳｉ（恣意的な定数値）またはＳｉ／ａ（ａは、ＢＳのＴＸＲＵの能力に基づくような２等の正の整数である）を上回るべきではないことを示してもよい。
【００８１】
いくつかの例示的実施形態によると、ロバストなビーム報告は、ＵＥがサポートし得る独立データストリームの数（例えば、ＵＥの能力）を示す、チャネル推定レポートを送信するＵＥを含んでもよい。本タイプのチャネル推定レポートは、能力レポートと称され、ＢＳによって命令されるように伝送されてもよい、または周期的に送信され得るビーコンとして伝送されるもの等のＢＳからの入力から独立して伝送されてもよい。
【００８２】
例えば、ＵＥは、各Ｔｘビーム、Ｔｘビームセット、Ｒｘビーム、またはＲｘビームセットと関連付けられ得る、独立データストリームの数を詳述する、能力レポートをＢＳに送信してもよい。さらなる実施例として、ＵＥは、特定のＴｘビーム、Ｔｘビームセット、（ＢＳまたはＵＥのいずれかにおける）ポート、競合解決識別（ＣＲＩ）、（ＢＳまたはＵＥのいずれかにおける）ＣＲＩ＋ポート、（ＢＳまたはＵＥのいずれかにおける）ポートグループ、Ｒｘビーム、またはＲｘビームセットと関連付けられ得る、独立データストリーム（例えば、ランクまたは層）の最大数に関して能力レポートを生成および送信してもよい。
【００８３】
別の実施例として、能力レポートは、特定のＢＳポートグループ（例えば、特定のポート−ｉ、ポートグループ−ｉ、またはＲｘビームセット−ｉと空間的にＱＣＬされるＢＳポートのＢＳポートグループ）の一部である、ＤＭＲＳアンテナポートのためにＲｉ（例えば、２）以下の独立データストリーム（例えば、層）が存在し得ることを示してもよい。さらに別の実施例として、能力レポートは、特定のＢＳポートまたはＢＳポートグループに関するデータ／制御チャネルのための独立データストリームの最大数を示してもよい。別の言い方をすれば、能力レポートは、そのＤＭＲＳポートがポートグループとして（空間）ＱＣＬされるデータ／制御チャネルのための独立データストリームの最大数（例えば、最大ランクまたは層）を示してもよい。
【００８４】
第５の例示的実施形態によると、ロバストなビーム報告は、本明細書ではカスタマイズされたＲＳＲＰ定義と称され得る、ＲＳＲＰのための具体的定義を提供してもよい。これらのカスタマイズされたＲＳＲＰ定義は、特定のポートまたはポートグループと関連付けられてもよい。
【００８５】
ある実施形態では、カスタマイズされたＲＳＲＰ定義は、正相ベースのカスタマイズされたＲＳＲＰ定義を含んでもよい。正相ベースのカスタマイズされたＲＳＲＰ定義は、ＲＳＲＰが、特定の測定周波数帯域幅内でＲＳを搬送し、正相要素が事前定義されたセットに由来する、それぞれ、アンテナポートと関連付けられる選択的正相要素によって加重されるアンテナポートと関連付けられる、受信されたリソース要素の（［Ｗ］単位の）電力寄与にわたる線形平均の最大値として定義されることであってもよい。事前定義されたセットは、オーバーサンプリングを用いて離散フーリエ変換ＤＦＴから取得されてもよい。
【００８６】
ある実施形態では、カスタマイズされたＲＳＲＰ定義は、最大（または最小）値ベースのカスタマイズされたＲＳＲＰ定義を含んでもよい。最大（または最小）値ベースのカスタマイズされたＲＳＲＰ定義は、考慮される測定周波数帯域幅内でＲＳを搬送し、測定されたアンテナポートのうちのいずれか１つと関連付けられる、受信されたリソース要素の（［Ｗ］単位の）電力寄与にわたる線形平均の最大（または最小）値として、ＲＳＲＰを定義してもよい。
【００８７】
ある実施形態では、カスタマイズされたＲＳＲＰ定義は、平均ベースのカスタマイズされたＲＳＲＰ定義を含んでもよい。平均ベースのカスタマイズされたＲＳＲＰ定義は、考慮される測定周波数帯域幅内でＲＳを搬送し、測定されたアンテナポートと関連付けられる、リソース要素の（［Ｗ］単位の）電力寄与にわたる線形平均として、ＲＳＲＰを定義してもよい。
【００８８】
ある実施形態では、カスタマイズされたＲＳＲＰ定義は、単一のアンテナポートに利用され得る、単一ポートのカスタマイズされたＲＳＲＰ定義を含んでもよい。単一ポートのカスタマイズされたＲＳＲＰ定義は、考慮される測定周波数帯域幅内でＲＳを搬送する、リソース要素の（［Ｗ］単位の）電力寄与にわたる線形平均として、ＲＳＲＰを定義してもよい。
【００８９】
さらに別の例示的実施形態によると、ロバストなビーム報告は、部分帯域幅命令を含んでもよい。部分帯域幅命令は、ＢＳからＵＥに伝送される、ＵＥ挙動によって決定される、または事前定義されてもよい。部分帯域幅命令は、ＲＳの帯域幅全体またはＲＳの帯域幅の一部のみ（例えば、部分帯域幅命令が恣意的な定数「Ｔ」を提供するであろう、ＲＳの帯域幅全体の１／Ｔ）からパラメータ（例えば、ＲＳＲＰ）を決定することによって、チャネル推定を実施するチャネル推定プロトコルを採用するように、ＵＥに命令してもよい。
【００９０】
例えば、部分帯域幅命令は、ＵＥがチャネル推定（例えば、ＲＳＲＰ決定）に利用するものである、部分帯域ＲＳを示してもよい。応答して、ＵＥは、部分帯域あたり、または部分帯域の一部（例えば、部分帯域幅）に関して、帯域ＩＤ（帯域幅の識別）およびＲＳＲＰ値を示す、ＢＳへのチャネル推定レポートを生成してもよい。さらなる実施形態では、ＢＳからＵＥに送信される部分帯域幅命令は、帯域全体に関するＲＳＲＰ、部分帯域に関するＲＳＲＰ、サブ帯域に関するＲＳＲＰ、Ｗが正の整数である、部分帯域からの最良ＷのＲＳＲＰのＢＳへのチャネル推定レポートを生成するように、または最大ＲＳＲＰ値を伴う帯域を示すように、ＵＥに命令してもよい。部分帯域は、帯域全体の一部であってもよい。しかしながら、全ての報告された部分帯域の総数は、帯域全体を構成する（例えば、それと同等である、または等しい）必要はない。サブ帯域は、帯域全体の一部であってもよい。しかしながら、全ての報告されたサブ帯域の総数は、帯域全体を構成する（例えば、それと同等である、または等しい）はずである。各リソースグループ（例えば、ビームセット、アンテナグループ、ポート、参照信号、ダイバーシティ分岐、および受信分岐）は、異なる最良部分帯域または周波数リソースに対応し得る。異なるサブ帯域または部分帯域に関する報告されたＲＳＲＰは、異なるＲＳＲＰグループにグループ化されることができる。帯域全体に関するＲＳＲＰ値は、異なるリソースグループに関連するサブ帯域にわたる線形平均として決定されてもよい。例えば、帯域全体は、複数のサブ帯域に分割されてもよく、異なるサブ帯域では、帯域全体を横断するＲＳＲＰ決定のための関連付けられるＵＥアンテナグループは、異なり得る（例えば、サブ帯域のＲＳＲＰを最大限にする目的で選択される）。故に、ある実施形態では、帯域全体に関するＲＳＲＰ値は、次いで、サブ帯域のいずれかに関するＲＳＲＰにわたる線形平均として決定されてもよい。ある実施形態では、ＲＳＲＰレポートでは、リソースグループのセットからの、Ｔが正の整数である、Ｔ個のＲＳＲＰ値からの報告されたＲＳＲＰ値に関する導出規則は、ＢＳによって構成可能である、またはＵＥによってＢＳに示される（例えば、推奨される）、またはＵＥにおける受信方法に基づいて決定されてもよい。導出規則は、少なくとも、以下の規則のうちの１つを含んでもよい、すなわち、報告されたＲＳＲＰ値は、Ｔ個のＲＳＲＰ値よりも低くなく、（ｂ）報告されたＲＳＲＰ値は、Ｅ個のＲＳＲＰ値のうちの最大ＲＳＲＰ値であり、（ｃ）報告されたＲＳＲＰ値は、Ｅ個のＲＳＲＰ値のうちの最小ＲＳＲＰ値であり、（ｄ）報告されたＲＳＲＰ値は、Ｅ個のＲＳＲＰ値の平均ＲＳＲＰ値であり、Ｅ個のＲＳＲＰ値は、Ｔ個のＲＳＲＰ値から選択され、Ｅは、Ｔと等しいまたはそれ未満である（例えば、＜＝Ｔ）。また、ＵＥにおける受信方法（例えば、技法）は、以下の受信技法のうちの少なくとも１つ、すなわち、（ａ）１つのリソースグループを使用することによる受信、（ｂ）複数のリソースグループを使用することによる受信、（ｃ）受信ダイバーシティ、（ｄ）位相における受信複合（例えば、位相に従って受信された信号を組み合わせる）、（ｅ）振幅における受信複合（例えば、振幅に従って受信された信号を組み合わせる）、（ｆ）受信フィルタリング（例えば、基準に基づいて、ある受信された信号を除外する）、および（ｇ）空間多重化を含んでもよい。
【００９１】
本発明の種々の実施形態が上記に説明されているが、それらは、限定としてではなくて一例のみとして提示されていることを理解されたい。同様に、種々の略図は、当業者が本発明の例示的特徴および機能を理解することを可能にするように提供される、例示的アーキテクチャまたは構成を描写し得る。しかしながら、そのような個人は、本発明が図示される例示的アーキテクチャまたは構成に制限されないが、種々の代替的アーキテクチャおよび構成を使用して実装され得ることを理解するであろう。加えて、当業者によって理解されるであろうように、一実施形態の１つ以上の特徴は、本明細書に説明される別の１つ以上の特徴と組み合わせられることができる。したがって、本開示の範疇および範囲は、上記に説明される例示的実施形態のうちのいずれかによって限定されるべきではない。
【００９２】
また、「第１」、「第２」等の指定を使用する、本明細書の要素の任意の言及は、概して、これらの要素の数量または順序を限定しないことも理解されたい。むしろ、これらの指定は、２つ以上の要素または要素のインスタンスを区別する便宜的な手段として、本明細書で使用されることができる。したがって、第１および第２の要素の言及は、２つだけの要素が採用され得ること、または第１の要素がある様式で第２の要素に先行しなければならないことを意味しない。
【００９３】
加えて、当業者は、情報および信号が、種々の異なる技術および技法のうちのいずれかを使用して表され得ることを理解するであろう。例えば、上記の説明において参照され得る、データ、命令、コマンド、情報、信号、ビット、およびシンボルは、電圧、電流、電磁波、磁場または粒子、光場または粒子、またはそれらの任意の組み合わせによって表されることができる。
【００９４】
当業者はさらに、本明細書に開示される側面に関連して説明される種々の例証的論理ブロック、モジュール、プロセッサ、手段、回路、方法、および機能のうちのいずれかが、電子ハードウェア（例えば、デジタル実装、アナログ実装、または２つの組み合わせ）、ファームウェア、命令を組み込む種々の形態のプログラムまたは設計コード（本明細書では、便宜上「ソフトウェア」または「ソフトウェアモジュール」と称され得る）、またはこれらの技法の任意の組み合わせによって実装され得ることを理解するであろう。
【００９５】
ハードウェア、ファームウェア、およびソフトウェアの本可換性を明確に例証するために、種々の例証的コンポーネント、ブロック、モジュール、回路、およびステップが、概して、それらの機能性の観点から上記に説明されている。そのような機能性が、ハードウェア、ファームウェア、またはソフトウェア、またはこれらの技法の組み合わせとして実装されるかどうかは、全体的なシステムに課される特定の用途および設計制約に依存する。当業者は、特定の用途毎に種々の方法で説明される機能性を実装することができるが、そのような実装決定は、本開示の範囲からの逸脱を引き起こさない。種々の実施形態によると、プロセッサ、デバイス、コンポーネント、回路、構造、機械、モジュール等は、本明細書に説明される機能のうちの１つ以上のものを果たすように構成されることができる。規定動作または機能に関して本明細書で使用されるような用語「〜するように構成される」または「〜のために構成される」は、規定動作または機能を果たすように物理的に構築、プログラム、および／または配列される、プロセッサ、デバイス、コンポーネント、回路、構造、機械、モジュール等を指す。
【００９６】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、またはそれらの任意の組み合わせを含み得る、集積回路（ＩＣ）内で実装される、またはそれによって実施され得ることを理解するであろう。論理ブロック、モジュール、および回路はさらに、ネットワーク内またはデバイス内の種々のコンポーネントと通信するためのアンテナおよび／または送受信機を含むことができる。汎用プロセッサは、マイクロプロセッサであり得るが、代替物では、プロセッサは、任意の従来のプロセッサ、コントローラ、または状態機械であり得る。プロセッサはまた、コンピューティングデバイスの組み合わせ、例えば、ＤＳＰおよびマイクロプロセッサの組み合わせ、複数のマイクロプロセッサ、ＤＳＰコアと併せた１つ以上のマイクロプロセッサ、または本明細書に説明される機能を果たすための任意の他の好適な構成として、実装されることができる。
【００９７】
ソフトウェアで実装された場合、機能は、コンピュータ可読媒体上で１つ以上の命令またはコードとして記憶されることができる。したがって、本明細書に開示される方法またはアルゴリズムのステップは、コンピュータ可読媒体上に記憶されたソフトウェアとして実装されることができる。コンピュータ可読媒体は、コンピュータプログラムまたはコードを１つの場所から別の場所に転送することを可能にされ得る、任意の媒体を含む、コンピュータ記憶媒体および通信媒体の両方を含む。記憶媒体は、コンピュータによってアクセスされ得る、任意の利用可能な媒体であり得る。限定ではなくて一例として、そのようなコンピュータ可読媒体は、命令またはデータ構造の形態で所望されるプログラムコードを記憶するために使用され得、コンピュータによってアクセスされ得る、ＲＡＭ、ＲＯＭ、ＥＥＰＲＯＭ、ＣＤ−ＲＯＭ、または他の光ディスク記憶装置、磁気記憶装置または他の磁気記憶デバイス、または任意の他の媒体を含むことができる。
【００９８】
本書では、本明細書で使用されるような用語「モジュール」は、本明細書に説明される関連付けられる機能を果たすためのソフトウェア、ファームウェア、ハードウェア、およびこれらの要素の任意の組み合わせを指す。加えて、議論の目的のために、種々のモジュールは、離散モジュールとして説明されるが、しかしながら、当業者に明白であろうように、２つ以上のモジュールは、本発明の実施形態によると、関連付けられる機能を果たす単一のモジュールを形成するように組み合わせられてもよい。
【００９９】
加えて、メモリまたは他の記憶装置、および通信コンポーネントが、本発明の実施形態で採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメインの間の機能性の任意の好適な分布が、本発明から逸脱することなく使用され得ることが明白であろう。例えば、別個の処理論理要素またはコントローラによって果たされることが図示される機能性は、同一の処理論理要素またはコントローラによって果たされてもよい。故に、具体的機能ユニットの言及は、厳密な論理的または物理的構造または組織を示すのではなく、説明される機能性を提供するための好適な手段の言及にすぎない。
【０１００】
本開示に説明される実装への種々の修正が、当業者に容易に明白となり、本明細書で定義される一般的原理は、本開示の範囲から逸脱することなく、他の実装に適用されることができる。したがって、本開示は、本明細書に示される実装に限定されることを意図していないが、下記の請求項に記載されるように、本明細書に開示される新規の特徴および原理と一致する最も広い範囲を与えられるものである。
【図１】
2020523896.tif 000009
【図２】
2020523896.tif 000010
【図３】
2020523896.tif 000011
【図４】
2020523896.tif 000012
【図５Ａ】
2020523896.tif 000013
【図５Ｂ】
2020523896.tif 000014
【図５Ｃ】
2020523896.tif 000015
【図５Ｄ】
2020523896.tif 000016
【図６】
2020523896.tif 000017
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
第１の通信ノードによって実施される方法であって、
少なくとも１つの参照信号を受信することと、
前記少なくとも１つの参照信号と関連付けられる少なくとも１つの参照信号受信電力（ＲＳＲＰ）値を決定することと、
所定のフォーマットに従って前記少なくとも１つのＲＳＲＰ値を含むＲＳＲＰレポートを生成することであって、前記少なくとも１つのＲＳＲＰ値のうちの１つは、リソースグループと関連付けられている、ことと、
前記ＲＳＲＰレポートを伝送することと
を含む、方法。
【請求項２】
前記リソースグループは、ビームセット、アンテナグループ、ポート、参照信号（ＲＳ）リソース、ＲＳリソースセット、ポートグループ、ダイバーシティ分岐、および受信分岐のうちの少なくとも１つを備える、請求項１に記載の方法。
【請求項３】
前記ポートグループは、明示的信号によって、第２の通信ノードによって示される前記第２の通信ノードにおけるポートのクラスタである、請求項２に記載の方法。
【請求項４】
前記ＲＳＲＰレポートは、以下の階層関連性、すなわち、
前記少なくとも１つのＲＳＲＰ値のうちの１つは、第２の通信ノードから伝送される１つのビームに対して、および前記第１の通信ノードと関連付けられる１つのアンテナグループに対して決定される、
前記少なくとも１つのＲＳＲＰ値のうちの１つは、第２の通信ノードから伝送される１つのビームに対して、および前記第１の通信ノードと関連付けられる１つの受信されたビームセットに対して決定される、および
前記少なくとも１つのＲＳＲＰ値のうちの１つは、第２の通信ノードから伝送される１つのビームに対して、および前記第１の通信ノードと関連付けられる１つのアンテナグループに対して、および前記第１の通信ノードと関連付けられる１つの受信されたビームセットに対して決定される
のうちの１つに基づく、請求項１に記載の方法。
【請求項５】
第１の通信ノードによって実施される方法であって、
少なくとも１つの参照信号を送信することと、
前記少なくとも１つの参照信号と関連付けられる少なくとも１つのＲＳＲＰ値を備える参照信号受信電力（ＲＳＲＰ）レポートを受信することであって、前記ＲＳＲＰレポートは、所定のフォーマットに従って、フォーマットされ、前記少なくとも１つのＲＳＲＰ値のうちの１つは、リソースグループと関連付けられている、ことと
を含む、方法。
【請求項６】
前記リソースグループは、ビームセット、アンテナグループ、ポート、参照信号（ＲＳ）リソース、ＲＳリソースセット、ポートグループ、ダイバーシティ分岐、および受信分岐のうちの少なくとも１つを備える、請求項５に記載の方法。
【請求項７】
前記ポートグループは、明示的信号によって第２の通信ノードに示される前記第１の通信ノードにおけるポートのクラスタである、請求項６に記載の方法。
【請求項８】
前記ＲＳＲＰレポートは、以下の関連性、すなわち、
前記少なくとも１つのＲＳＲＰ値のうちの１つは、前記第１の通信ノードから伝送される１つのビームに対して、および第２の通信ノードと関連付けられる１つのアンテナグループに対して決定される、
前記少なくとも１つのＲＳＲＰ値のうちの１つは、前記第１の通信ノードから伝送される１つのビームに対して、および第２の通信ノードと関連付けられる１つの受信されたビームセットに対して決定される、および
前記少なくとも１つのＲＳＲＰ値のうちの１つは、前記第１の通信ノードから伝送される１つのビームに対して、および第２の通信ノードと関連付けられる１つのアンテナグループに対して、および前記第２の通信ノードと関連付けられる１つの受信されたビームセットに対して決定される
のうちの１つに基づく、請求項５に記載の方法。
【請求項９】
前記少なくとも１つのＲＳＲＰ値は、ＲＳＲＰ値のＮ個のセットにグループ化される複数のＲＳＲＰ値を備え、
前記ＲＳＲＰ値のＮ個のセットの各々は、リソースグループのＮ個のセットのうちのそれぞれ１つと関連付けられており、
前記リソースグループのＮ個のセットの各々は、少なくとも１つのリソースグループを含有し、
Ｎは、正の整数である、請求項１に記載の方法。
【請求項１０】
前記少なくとも１つのＲＳＲＰ値は、ＲＳＲＰ値のＮ個のセットにグループ化される複数のＲＳＲＰ値を備え、
前記ＲＳＲＰ値のＮ個のセットの各々は、リソースグループのＮ個のセットのうちのそれぞれ１つと関連付けられており、
前記リソースグループのＮ個のセットの各々は、少なくとも１つのリソースグループを含有し、
Ｎは、正の整数である、請求項５に記載の方法。
【請求項１１】
プロセッサおよびメモリを含む通信ノードであって、前記メモリは、命令を記憶しており、前記命令は、実行されると、前記プロセッサに、
少なくとも１つの参照信号を受信することと、
前記少なくとも１つの参照信号と関連付けられる少なくとも１つの参照信号受信電力（ＲＳＲＰ）値を決定することと、
所定のフォーマットに従って前記少なくとも１つのＲＳＲＰ値を含むＲＳＲＰレポートを生成することであって、前記少なくとも１つのＲＳＲＰ値のうちの１つは、リソースグループと関連付けられている、ことと、
前記ＲＳＲＰレポートを伝送することと
を行わせる、通信ノード。
【請求項１２】
前記リソースグループは、ビームセット、アンテナグループ、ポート、参照信号（ＲＳ）リソース、ＲＳリソースセット、ポートグループ、ダイバーシティ分岐、および受信分岐のうちの少なくとも１つを備える、請求項１１に記載の通信ノード。
【請求項１３】
前記ポートグループは、明示的信号によって、第２の通信ノードによって示される前記第２の通信ノードにおけるポートのクラスタである、請求項１２に記載の通信ノード。
【請求項１４】
前記ＲＳＲＰレポートは、以下の階層関連性、すなわち、
前記少なくとも１つのＲＳＲＰ値のうちの１つは、第２の通信ノードから伝送される１つのビームに対して、および前記第１の通信ノードと関連付けられる１つのアンテナグループに対して決定される、
前記少なくとも１つのＲＳＲＰ値のうちの１つは、第２の通信ノードから伝送される１つのビームに対して、および前記第１の通信ノードと関連付けられる１つの受信されたビームセットに対して決定される、および
前記少なくとも１つのＲＳＲＰ値のうちの１つは、第２の通信ノードから伝送される１つのビームに対して、および前記第１の通信ノードと関連付けられる１つのアンテナグループに対して、および前記第１の通信ノードと関連付けられる１つの受信されたビームセットに対して決定される
のうちの１つに基づく、請求項１１に記載の通信ノード。
【請求項１５】
前記少なくとも１つのＲＳＲＰ値は、ＲＳＲＰ値のＮ個のセットにグループ化される複数のＲＳＲＰ値を備え、
前記ＲＳＲＰ値のＮ個のセットの各々は、リソースグループのＮ個のセットのうちのそれぞれ１つと関連付けられており、
前記リソースグループのＮ個のセットの各々は、少なくとも１つのリソースグループを含有し、
Ｎは、正の整数である、請求項１１に記載の通信ノード。
【請求項１６】
プロセッサおよびメモリを含む通信ノードであって、前記メモリは、命令を記憶しており、前記命令は、実行されると、前記プロセッサに、
少なくとも１つの参照信号を送信することと、
前記少なくとも１つの参照信号と関連付けられる少なくとも１つのＲＳＲＰ値を備える参照信号受信電力（ＲＳＲＰ）レポートを受信することであって、前記ＲＳＲＰレポートは、所定のフォーマットに従って、フォーマットされ、前記少なくとも１つのＲＳＲＰ値のうちの１つは、リソースグループと関連付けられている、ことと
を行わせる、通信ノード。
【請求項１７】
前記リソースグループは、ビームセット、アンテナグループ、ポート、参照信号（ＲＳ）リソース、ＲＳリソースセット、ポートグループ、ダイバーシティ分岐、および受信分岐のうちの少なくとも１つを備える、請求項１６に記載の通信ノード。
【請求項１８】
前記ポートグループは、明示的信号によって第２の通信ノードに示される前記第１の通信ノードにおけるポートのクラスタである、請求項１７に記載の通信ノード。
【請求項１９】
前記ＲＳＲＰレポートは、以下の関連性、すなわち、
前記少なくとも１つのＲＳＲＰ値のうちの１つは、前記第１の通信ノードから伝送される１つのビームに対して、および第２の通信ノードと関連付けられる１つのアンテナグループに対して決定される、
前記少なくとも１つのＲＳＲＰ値のうちの１つは、前記第１の通信ノードから伝送される１つのビームに対して、および第２の通信ノードと関連付けられる１つの受信されたビームセットに対して決定される、および
前記少なくとも１つのＲＳＲＰ値のうちの１つは、前記第１の通信ノードから伝送される１つのビームに対して、および第２の通信ノードと関連付けられる１つのアンテナグループに対して、および前記第２の通信ノードと関連付けられる１つの受信されたビームセットに対して決定される
のうちの１つに基づく、請求項１６に記載の通信ノード。
【請求項２０】
前記少なくとも１つのＲＳＲＰ値は、ＲＳＲＰ値のＮ個のセットにグループ化される複数のＲＳＲＰ値を備え、
前記ＲＳＲＰ値のＮ個のセットの各々は、リソースグループのＮ個のセットのうちのそれぞれ１つと関連付けられており、
前記リソースグループのＮ個のセットの各々は、少なくとも１つのリソースグループを含有し、
Ｎは、正の整数である、請求項１６に記載の通信ノード。
【手続補正２】
【補正対象書類名】明細書
【補正対象項目名】００１１
【補正方法】変更
【補正の内容】
【００１１】
さらに別の実施形態では、第１の通信ノードは、少なくとも１つの参照信号を第２の通信ノードに伝送するように構成される、伝送機と、第２の通信ノードから参照信号受信電力（ＲＳＲＰ）レポートを受信するように構成される、受信機であって、ＲＳＲＰレポートは、少なくとも１つの参照信号と関連付けられる、少なくとも１つのＲＳＲＰ値を含有し、少なくとも１つのＲＳＲＰ値を、各セットが少なくとも１つのＲＳＲＰ値を含有する、ＲＳＲＰ値のＮ個のセットにグループ化し、ＲＳＲＰ値のＮ個のセットのそれぞれをリソースグループのＮ個のセットのうちの個別のものと関連付け、リソースグループの各セットは、少なくとも１つのリソースグループを含有し、Ｎは、正の整数である、受信機と、少なくとも１つのＲＳＲＰ値が所定の基準を満たすかどうかを決定し、少なくとも１つのＲＳＲＰ値が所定の基準を満たすとき、少なくとも１つの参照信号を送信するために使用される、少なくとも１つのリソース要素を使用して、伝送機に伝送信号を第２の通信ノードに送信させるように構成される、少なくとも１つのプロセッサとを含む。
（項目１）
第１の通信ノードによって実施される方法であって、
少なくとも１つの参照信号を受信することと、
上記少なくとも１つの参照信号と関連付けられる少なくとも１つの参照信号受信電力（ＲＳＲＰ）値を決定することと、
所定のフォーマットに従って、ＲＳＲＰレポートを生成することであって、上記所定のフォーマットは、上記少なくとも１つのＲＳＲＰ値を、各セットが少なくとも１つのＲＳＲＰ値を含有するＲＳＲＰ値のＮ個のセットにグループ化し、上記ＲＳＲＰ値のＮ個のセットのそれぞれをリソースグループのＮ個のセットのうちの個別のものと関連付け、リソースグループの各セットは、少なくとも１つのリソースグループを含有し、Ｎは、正の整数である、ことと、
上記ＲＳＲＰレポートを伝送することと
を含む、方法。
（項目２）
上記リソースグループのＮ個のセットのうちの少なくとも１つは、ビームセット、アンテナグループ、ポート、参照信号（ＲＳ）リソース、ＲＳリソースセット、ポートグループ、ダイバーシティ分岐、および受信分岐のうちの少なくとも１つを備える、項目１に記載の方法。
（項目３）
上記ポートグループは、明示的信号によって、または上記所定のフォーマットに基づいて暗示的に、第２の通信ノードによって示される上記第２の通信ノードにおけるポートのクラスタである、項目２に記載の方法。
（項目４）
上記ポートのクラスタは、
上記ポートのクラスタは、時分割符号分割多重化（ＴＤ−ＣＤＭ）ポートのセットに属す、
上記ポートのクラスタは、周波数分割符号分割多重化（ＦＤ−ＣＤＭ）ポートのセットに属す、
上記ポートのクラスタは、１つのコンポーネントと関連付けられる、
上記ポートのクラスタは全て、１つのＯＦＤＭシンボルまたはサブユニット内にある、
上記ポートのクラスタは、順番に１つのリソースのＫ個のポートを備え、Ｋは、１つの正の整数である、および
上記ポートのクラスタは、１つ以上の同一または類似のチャネル性質を共有する
のうちの少なくとも１つに基づいて、暗示的に示される、項目３に記載の方法。
（項目５）
上記ポートグループおよび同一または異なるＲＳリソースからのＲＳポートは、第２の通信ノードの中の１つのポートセットにグループ化される、項目２に記載の方法。
（項目６）
上記ポートグループまたは上記ポートのいずれかと準共同設置されるＳ個以下のＲＳアンテナポートが、同時に伝送されることができ、Ｓは、正の整数である、項目２に記載の方法。
（項目７）
上記ポートグループまたは上記ポートのいずれかと準共同設置されるダウンリンク変調参照信号（ＤＭＲＳ）を有する層の総数は、Ｓ以下であり、Ｓは、正の整数である、項目２に記載の方法。
（項目８）
上記ＲＳＲＰレポートはさらに、上記リソースグループのＮ個のセットのうちの少なくとも１つのリソースグループのためのデータストリーム、ランクインジケータ、または層の最大数を含有する、項目１に記載の方法。
（項目９）
上記ＲＳＲＰレポートは、以下の階層関連性、すなわち、
上記少なくとも１つのＲＳＲＰ値は、第２の通信ノードから伝送される各ビームあたり、および上記第１の通信ノードと関連付けられるアンテナグループあたりで決定される、
上記少なくとも１つのＲＳＲＰ値は、第２の通信ノードから伝送される各ビームあたり、および上記第１の通信ノードと関連付けられる受信されたビームセットあたりで決定される、
上記少なくとも１つのＲＳＲＰ値は、第２の通信ノードから伝送される全てのビームに関して、および上記第１の通信ノードと関連付けられる受信されたビームセットあたりで決定される、および
上記少なくとも１つのＲＳＲＰ値は、第２の通信ノードから伝送される各ビームあたり、および上記第１の通信ノードと関連付けられるアンテナグループあたり、および上記第１の通信ノードと関連付けられる受信されたビームセットあたりで決定される
のうちの１つに基づく、項目１に記載の方法。
（項目１０）
上記少なくとも１つのＲＳＲＰ値は、上記少なくとも１つの参照信号の部分帯域またはサブ帯域に関して決定される、項目１に記載の方法。
（項目１１）
リソースグループのＮ個のセットのうちの１つに関して、Ｔが正の整数である、Ｔ個のＲＳＲＰ値からの報告されたＲＳＲＰ値のための導出規則は、
第２の通信ノードによって構成可能である、
上記第１の通信ノードによって第２の通信ノードに示される、および
受信方法に基づいて決定される
のうちの１つである、項目１に記載の方法。
（項目１２）
上記導出規則は、以下の規則、すなわち、
上記報告されたＲＳＲＰ値は、上記Ｔ個のＲＳＲＰ値よりも低くない、
上記報告されたＲＳＲＰ値は、Ｅ個のＲＳＲＰ値のうちの最大ＲＳＲＰ値である、
上記報告されたＲＳＲＰ値は、Ｅ個のＲＳＲＰ値のうちの最小ＲＳＲＰ値である、および
上記報告されたＲＳＲＰ値は、Ｅ個のＲＳＲＰ値の平均ＲＳＲＰ値であり、上記Ｅ個のＲＳＲＰ値は、上記Ｔ個のＲＳＲＰ値から選択され、Ｅ＜＝Ｔである
のうちの少なくとも１つを含む、項目１１に記載の方法。
（項目１３）
上記受信方法は、以下の受信技法、すなわち、
１つのリソースグループを使用することによる受信、
複数のリソースグループを使用することによる受信、
受信ダイバーシティ、
位相における受信複合、
振幅における受信複合、
受信フィルタリング、および
空間多重化
のうちの少なくとも１つを含む、項目１１に記載の方法。
（項目１４）
第１の通信ノードによって実施される方法であって、
少なくとも１つの参照信号を送信することと、
上記少なくとも１つの参照信号と関連付けられる少なくとも１つのＲＳＲＰ値を備える参照信号受信電力（ＲＳＲＰ）レポートを受信することであって、上記ＲＳＲＰレポートは、所定のフォーマットに従って、フォーマットされ、上記所定のフォーマットは、上記少なくとも１つのＲＳＲＰ値を、各セットが少なくとも１つのＲＳＲＰ値を含有する、ＲＳＲＰ値のＮ個のセットにグループ化し、上記ＲＳＲＰ値のＮ個のセットのそれぞれをリソースグループのＮ個のセットのうちの個別のものと関連付け、リソースグループの各セットは、少なくとも１つのリソースグループを含有し、Ｎは、正の整数である、ことと、
上記少なくとも１つのＲＳＲＰ値が所定の基準を満たすかどうかを決定することと、
上記少なくとも１つのＲＳＲＰ値が上記所定の基準を満たすことに応答して、上記少なくとも１つの参照信号を送信するために使用される少なくとも１つのリソース要素を使用して、伝送信号を送信することと
を含む、方法。
（項目１５）
上記リソースグループのＮ個のセットのうちの少なくとも１つは、ビームセット、アンテナグループ、ポート、参照信号（ＲＳ）リソース、ＲＳリソースセット、ポートグループ、ダイバーシティ分岐、および受信分岐のうちの少なくとも１つを備える、項目１４に記載の方法。
（項目１６）
上記ポートグループは、明示的信号によって、または上記所定のフォーマットに基づいて暗示的に、第２の通信ノードに示される上記第１の通信ノードにおけるポートのクラスタである、項目１５に記載の方法。
（項目１７）
上記ポートのクラスタは、
上記ポートのクラスタは、時分割符号分割多重化（ＴＤ−ＣＤＭ）ポートのセットに属す、
上記ポートのクラスタは、周波数分割符号分割多重化（ＦＤ−ＣＤＭ）ポートのセットに属す、
上記ポートのクラスタは、１つのコンポーネントと関連付けられる、
上記ポートのクラスタは全て、１つのＯＦＤＭシンボルまたはサブユニット内にある、
上記ポートのクラスタは、順番に１つのリソースのＫ個のポートを備え、Ｋは、１つの正の整数である、および
上記ポートのクラスタは、１つ以上の同一または類似のチャネル性質を共有する
のうちの少なくとも１つに基づいて、暗示的に示される、項目１６に記載の方法。
（項目１８）
上記ポートグループおよび同一または異なるＲＳリソースからのＲＳポートは、第１の通信ノードの中の１つのポートセットにグループ化される、項目１５に記載の方法。
（項目１９）
上記ポートグループまたは上記ポートのいずれかと準共同設置される（ＱＣＬｅｄ）Ｓ個以下のＲＳアンテナポートが、同時に伝送されることができ、Ｓは、正の整数である、項目１５に記載の方法。
（項目２０）
上記ポートグループまたは上記ポートのいずれかと準共同設置されるダウンリンク変調参照信号（ＤＭＲＳ）を有する層の総数は、Ｓ以下であり、Ｓは、正の整数である、項目１５に記載の方法。
（項目２１）
上記ＲＳＲＰレポートはさらに、上記リソースグループのＮ個のセットのうちの少なくとも１つのリソースグループのためのデータストリーム、ランクインジケータ、または層の最大数を含有する、項目１４に記載の方法。
（項目２２）
上記ＲＳＲＰレポートは、以下の関連性、すなわち、
上記少なくとも１つのＲＳＲＰ値は、上記第１の通信ノードから伝送される各ビームあたり、および第２の通信ノードと関連付けられるアンテナグループあたりで決定される、
上記少なくとも１つのＲＳＲＰ値は、上記第１の通信ノードから伝送される各ビームあたり、および第２の通信ノードと関連付けられる受信されたビームセットあたりで決定される、
上記少なくとも１つのＲＳＲＰ値は、上記第１の通信ノードから伝送される全てのビームに関して、および第２の通信ノードと関連付けられる受信されたビームセットあたりで決定される、および
上記少なくとも１つのＲＳＲＰ値は、上記第１の通信ノードから伝送される各ビームあたり、および第２の通信ノードと関連付けられるアンテナグループあたり、および上記第２の通信ノードと関連付けられる受信されたビームセットあたりで決定される
のうちの１つに基づく、項目１４に記載の方法。
（項目２３）
上記少なくとも１つのＲＳＲＰ値は、上記少なくとも１つの参照信号の部分帯域またはサブ帯域に関して決定される、項目１４に記載の方法。
（項目２４）
リソースグループのＮ個のセットのうちの１つに関して、Ｔが正の整数である、Ｔ個のＲＳＲＰ値からの報告されたＲＳＲＰ値のための導出規則は、
上記第１の通信ノードによって構成可能である、
第２の通信ノードによって上記第１の通信ノードに示される、
受信方法に基づいて決定される
のうちの１つである、項目１４に記載の方法。
（項目２５）
上記導出規則は、以下の規則、すなわち、
上記報告されたＲＳＲＰ値は、上記Ｔ個のＲＳＲＰ値よりも低くない、
上記報告されたＲＳＲＰ値は、Ｅ個のＲＳＲＰ値のうちの最大ＲＳＲＰ値である、
上記報告されたＲＳＲＰ値は、Ｅ個のＲＳＲＰ値のうちの最小ＲＳＲＰ値である、および
上記報告されたＲＳＲＰ値は、Ｅ個のＲＳＲＰ値の平均ＲＳＲＰ値であり、上記Ｅ個のＲＳＲＰ値は、上記Ｔ個のＲＳＲＰ値から選択され、Ｅ＜＝Ｔである
のうちの少なくとも１つを含む、項目２４に記載の方法。
（項目２６）
上記受信方法は、以下の受信技法、すなわち、
１つのリソースグループを使用することによる受信、複数のリソースグループを使用することによる受信、受信ダイバーシティ、位相における受信複合、振幅における受信複合、受信フィルタリング、および空間多重化
のうちの少なくとも１つを含む、項目２４に記載の方法。
（項目２７）
項目１−２６のいずれか１項に記載のステップを実施するように構成される、通信ノード。
（項目２８）
項目１−２６のいずれか１項に記載の方法を実施するためのコンピュータ実行可能命令をその上に記憶している、非一過性のコンピュータ可読媒体。
【国際調査報告】
2020523896.tif 000018
2020523896.tif 000019